(57)【要約】【課題】光ピックアップ装置および光ディスク装置において、対物レンズに対する熱影響を抑える。【解決手段】光ディスクに対しレーザ光を集光させる対物レンズ３１，３２と、対物レンズ３１，３２を保持するレンズホルダ５と、レンズホルダ５に装着されレンズホルダ５を駆動可能なコイル４１，４２，４３，４４，４５，４６と、レンズホルダ５に装着され、コイル４１，４２，４３，４４，４５，４６が通電状態とされたときにコイル４１，４２，４３，４４，４５，４６に生じる熱を発散させる熱伝導性改善部材５０とを備えた光ピックアップ装置が構成されることにより、対物レンズ３１，３２に対する熱の影響が抑えられ、対物レンズ３１，３２により集光され光ディスクに照射されたレーザ光のスポットに収差が生じるという不具合の発生は回避される。【選択図】図１
2011048904.tif 000002
【特許請求の範囲】
【請求項１】
光ディスクに対しレーザ光を集光させる対物レンズと、
該対物レンズを保持するレンズホルダと、
該レンズホルダに装着され該レンズホルダを駆動可能なコイルと、
該レンズホルダに装着され、該コイルが通電状態とされたときに該コイルに生じる熱を発散させる熱伝導性改善部材と
を備えることを特徴とする光ピックアップ装置。
【請求項２】
前記熱伝導性改善部材は、前記レンズホルダの強度を補う補強部材を兼ねたことを特徴とする請求項１に記載の光ピックアップ装置。
【請求項３】
前記レンズホルダは、開口部を有する略箱状に形成され、
前記熱伝導性改善部材は、該開口部に対応した略板状に形成され、
該開口部に該熱伝導性改善部材が装着されてレンズホルダ組立体が構成されたことを特徴とする請求項１又は２に記載の光ピックアップ装置。
【請求項４】
前記レンズホルダは、
前記対物レンズが取り付けられるレンズ装着部と、
前記熱伝導性改善部材が取り付けられる部材装着部と
を備え、
該レンズ装着部の略反対側に該部材装着部が形成されたことを特徴とする請求項１〜３の何れか１項に記載の光ピックアップ装置。
【請求項５】
前記対物レンズとして、
第一波長レーザ光に対応した第一対物レンズと、
該第一波長レーザ光と異なる波長光の第二波長レーザ光に対応した第二対物レンズと
が用いられ、
前記レンズホルダは、
該第一対物レンズおよび該第二対物レンズが取り付けられるレンズ装着部と、
前記熱伝導性改善部材が取り付けられる部材装着部と
を備え、
該レンズ装着部の略反対側に該部材装着部が形成され、
該レンズ装着部に該第一対物レンズおよび該第二対物レンズが取り付けられ、該部材装着部に該熱伝導性改善部材が取り付けられることで、レンズ組立体が構成されたことを特徴とする請求項１〜４の何れか１項に記載の光ピックアップ装置。
【請求項６】
前記対物レンズが取り付けられるレンズ装着部が、前記レンズホルダに凹設され、
前記コイルが取り付けられるコイル装着部が、該レンズホルダに凸設され、
該コイルに生じた前記熱が該対物レンズに伝えられることを防ぐ熱伝導遮断孔が、該レンズ装着部と、該コイル装着部との間に穿設されたことを特徴とする請求項１〜５の何れか１項に記載の光ピックアップ装置。
【請求項７】
前記熱伝導性改善部材は、熱伝導性に優れる金属材料が用いられて形成され、
前記レンズホルダは、該レンズホルダを軽量化させる樹脂材料が用いられて形成されたことを特徴とする請求項１〜６の何れか１項に記載の光ピックアップ装置。
【請求項８】
前記熱伝導性改善部材は、アルミニウム材料が用いられて形成されたことを特徴とする請求項１〜７の何れか１項に記載の光ピックアップ装置。
【請求項９】
前記熱伝導性改善部材は、前記レンズホルダを構成する壁に当接されたことを特徴とする請求項１〜８の何れか１項に記載の光ピックアップ装置。
【請求項１０】
前記レンズホルダは、
前記対物レンズが装着される第一ピースと、
前記熱伝導性改善部材が装着される第二ピースと
を備えて構成されたことを特徴とする請求項１〜９の何れか１項に記載の光ピックアップ装置。
【請求項１１】
前記レンズホルダは、
前記対物レンズが装着される第一ピースと、
前記熱伝導性改善部材が装着される第二ピースと
を備えて構成され、
該第一ピースを形成する材料の熱伝導率と、該第二ピースを形成する材料の熱伝導率とが異なることを特徴とする請求項１〜１０の何れか１項に記載の光ピックアップ装置。
【請求項１２】
前記レンズホルダは、
前記対物レンズが装着される第一ピースと、
前記熱伝導性改善部材が装着される第二ピースと
を備えて構成され、
前記コイルとして、
該第一ピースに装着される第一方向駆動用コイルと、
該第二ピースに装着される第二方向駆動用コイルと
が用いられ、
該第一方向駆動用コイルが巻回される第一コイル装着部が、該第一ピースに設けられ、
該第二方向駆動用コイルが巻回される第二コイル装着部が、該第二ピースに設けられたことを特徴とする請求項１〜１１の何れか１項に記載の光ピックアップ装置。
【請求項１３】
請求項１〜１２の何れか１項に記載の光ピックアップ装置を備えることを特徴とする光ディスク装置。
【発明の詳細な説明】
【技術分野】
【０００１】
本発明は、光ディスクに記録されたデータを再生させることや、光ディスクにデータを記録させることが可能な光ピックアップ装置および光ディスク装置に関するものである。
【背景技術】
【０００２】
近年、光ピックアップ装置（図示せず）いわゆる光学ヘッドのレンズホルダに、二つの対物レンズを装備させたものが提案されている（例えば、特許文献１参照。）。
【先行技術文献】
【特許文献】
【０００３】
【特許文献１】特開平９−１２０５７３号公報（第２頁、第１−３図）
【発明の概要】
【発明が解決しようとする課題】
【０００４】
しかしながら、従来の対物レンズ付レンズホルダを備えた光ピックアップ装置にあっては、レンズホルダの前後左右のコイルと、対物レンズとの距離が均等とされていない場合に、コイル発熱時に、対物レンズへの熱伝達が偏ることが懸念されていた。対物レンズへの熱伝達が偏ると、対物レンズ内で不均等な温度勾配が生じるということが問題とされていた。対物レンズに伝えられる熱が不均一な場合、対物レンズの熱膨張にむらが生じ、その結果、対物レンズによって絞られて光ディスクに照射されたレーザ光のスポットに収差が生じることが懸念されていた。
【０００５】
従来の光ピックアップ装置にあっては、コイルに近い部分から対物レンズが徐々に温められる構造のものとされていたので、対物レンズの温度特性を検査したときに、対物レンズは、大きな温度勾配をもつものとされていた。大きな温度勾配をもつ対物レンズは、略均等な熱膨張または熱収縮が生じ難く、これが原因で、対物レンズにより集光され光ディスクに照射されたレーザ光のスポットに収差が生じることとなっていた。
【０００６】
また、従来の二つの対物レンズ付レンズホルダを備えた光ピックアップ装置にあっては、高次共振の発生が懸念されていた。光ピックアップ装置における高次共振とは、例えば、略１０ＫＨｚ以上の周波数領域にて甚だしくレンズ付レンズホルダに振動が生じることを意味する。光ピックアップ装置のレンズ付レンズホルダに高次共振が生じると、光ピックアップ装置を備える光ディスク装置において光ディスクのランダムアクセスが行われるときに、光ディスクに対する光ピックアップ装置のシーク時に、光ピックアップ装置が暴走して正常にシークが行われないことが懸念される。シークとは、ディスク上の指定された位置にピックアップ装置を移動させることを意味する。光ピックアップ装置の暴走発生を防止したものが要求されている。
【０００７】
また、例えば、光ピックアップ装置のレンズ付レンズホルダに甚だしく激しい高次共振が生じた場合、レンズホルダなどの可動部材に変形が生じることが懸念される。光ピックアップ装置のレンズ付レンズホルダに生じる高次共振を抑え込むために、レンズホルダなどの剛性を上げることが必要とされる。
【０００８】
また、光ピックアップ装置に対し、軽量化や、応答性の向上化や、価格低減化も要求されている。
【０００９】
本発明は、上記した問題点を解決することにある。本発明は、上記した点に鑑み、対物レンズに対する熱影響を抑えた光ピックアップ装置および光ディスク装置を提供することを目的とする。
【課題を解決するための手段】
【００１０】
上記目的を達成するために、本発明の請求項１に係る光ピックアップ装置は、光ディスクに対しレーザ光を集光させる対物レンズと、該対物レンズを保持するレンズホルダと、該レンズホルダに装着され該レンズホルダを駆動可能なコイルと、該レンズホルダに装着され、該コイルが通電状態とされたときに該コイルに生じる熱を発散させる熱伝導性改善部材とを備えることを特徴とする。
【００１１】
上記構成により、対物レンズに対する熱の影響は抑えられる。レンズホルダに熱伝導性改善部材が装着されることにより、コイルが通電状態とされたときにコイルに生じる熱は、効率よく発散される。また、レンズホルダに熱伝導性改善部材が装着されることにより、コイルが通電状態とされたときにコイルに生じる熱は、対物レンズに略均等に伝えられ易くなる。従って、コイルが通電状態とされたときに、対物レンズが略均一に膨張されず、その結果、対物レンズにより集光され光ディスクに照射されたレーザ光のスポットに収差が生じるという不具合の発生は回避される。
【００１２】
請求項２に係る光ピックアップ装置は、請求項１に記載の光ピックアップ装置において、前記熱伝導性改善部材は、前記レンズホルダの強度を補う補強部材を兼ねたことを特徴とする。
【００１３】
上記構成により、対物レンズを備えるレンズホルダが甚だしく振動し、レンズホルダが変形するという不具合の発生は回避される。熱伝導性改善部材が、レンズホルダの強度を補う補強部材を兼ねたものとされたことにより、レンズホルダに生じる振動は抑えられる。従って、振動に対応した光ピックアップ装置が構成される。
【００１４】
請求項３に係る光ピックアップ装置は、請求項１又は２に記載の光ピックアップ装置において、前記レンズホルダは、開口部を有する略箱状に形成され、前記熱伝導性改善部材は、該開口部に対応した略板状に形成され、該開口部に該熱伝導性改善部材が装着されてレンズホルダ組立体が構成されたことを特徴とする。
【００１５】
上記構成により、略箱状のレンズホルダを備えるレンズホルダ組立体の剛性が向上する。略箱状をしたレンズホルダの開口部に、略板状をした熱伝導性改善部材が装着されることにより、略箱状のレンズホルダに対し、熱伝導性改善部材が例えば略板状の蓋として機能する。例えば、蓋が閉じられていない箱状物と、蓋が閉じられた箱状物との強度を比較した場合、蓋が閉じられた箱状物のほうが、蓋が閉じられていない箱状物よりも強度が向上する。これに基づき、略箱状のレンズホルダの開口部に、略板状の熱伝導性改善部材を装着させることにより、レンズホルダおよび熱伝導性改善部材を備えるレンズホルダ組立体の剛性や強度は向上する。レンズホルダ組立体の剛性が向上するので、対物レンズを備えるレンズホルダが甚だしく振動するという高次共振の発生は回避される。従って、高次共振に対応し制御が行われ易い光ピックアップ装置が構成される。
【００１６】
請求項４に係る光ピックアップ装置は、請求項１〜３の何れか１項に記載の光ピックアップ装置において、前記レンズホルダは、前記対物レンズが取り付けられるレンズ装着部と、前記熱伝導性改善部材が取り付けられる部材装着部とを備え、該レンズ装着部の略反対側に該部材装着部が形成されたことを特徴とする。
【００１７】
上記構成により、対物レンズに対する熱の影響は抑えられる。レンズホルダにおいて、対物レンズが取り付けられるレンズ装着部の略反対側の部材装着部に、熱伝導性改善部材が取り付けられることにより、対物レンズに伝えられる熱が略均一化され、対物レンズの温度勾配が少なくなる。レンズホルダに装着されたコイルから生じる熱の多くは、レンズホルダの部材装着部に取り付けられた熱伝導性改善部材に伝えられて発散される。また、レンズホルダにおいて、熱伝導性改善部材が取り付けられた部材装着部の略反対側のレンズ装着部に、対物レンズが取り付けられることにより、熱の一部が、レンズホルダのレンズ装着部に取り付けられた対物レンズに伝えられる。このように光ピックアップ装置が構成されることにより、対物レンズに生じようとされる温度むらが抑えられる。対物レンズの温度むらが抑えられるので、対物レンズは略均一に熱膨張する。略均一に対物レンズが熱膨張することにより、対物レンズにより集光され光ディスクに照射されたレーザ光のスポットに収差が生じるということは回避される。従って、収差が発生され難く制御が行われ易い光ピックアップ装置が構成される。
【００１８】
請求項５に係る光ピックアップ装置は、請求項１〜４の何れか１項に記載の光ピックアップ装置において、前記対物レンズとして、第一波長レーザ光に対応した第一対物レンズと、該第一波長レーザ光と異なる波長光の第二波長レーザ光に対応した第二対物レンズとが用いられ、前記レンズホルダは、該第一対物レンズおよび該第二対物レンズが取り付けられるレンズ装着部と、前記熱伝導性改善部材が取り付けられる部材装着部とを備え、該レンズ装着部の略反対側に該部材装着部が形成され、該レンズ装着部に該第一対物レンズおよび該第二対物レンズが取り付けられ、該部材装着部に該熱伝導性改善部材が取り付けられることで、レンズ組立体が構成されたことを特徴とする。
【００１９】
上記構成により、熱対策が行われると共にバランスのとれたレンズ組立体が構成される。光ピックアップ装置のレンズ組立体は、レンズホルダを駆動可能なコイルと、第一波長レーザ光に対応した第一対物レンズと、第二波長レーザ光に対応した第二対物レンズと、各対物レンズに対する熱の影響を抑える熱伝導性改善部材と、コイルと第一対物レンズと第二対物レンズと熱伝導性改善部材とが装着されるレンズホルダとを備えるものとして構成される。レンズホルダのレンズ装着部に、第一対物レンズおよび第二対物レンズが取り付けられることにより、レンズホルダのレンズ装着部側の重量が増加する。しかしながら、レンズホルダのレンズ装着部の反対側とされる部材装着部に、熱伝導性改善部材が取り付けられることにより、レンズホルダの部材装着部側の重量が増加するので、レンズ組立体のバランスは保たれる。レンズ組立体のバランスが保たれるので、レンズ組立体を備える光ピックアップ装置の暴走発生は回避され易くなる。
【００２０】
請求項６に係る光ピックアップ装置は、請求項１〜５の何れか１項に記載の光ピックアップ装置において、前記対物レンズが取り付けられるレンズ装着部が、前記レンズホルダに凹設され、前記コイルが取り付けられるコイル装着部が、該レンズホルダに凸設され、該コイルに生じた前記熱が該対物レンズに伝えられることを防ぐ熱伝導遮断孔が、該レンズ装着部と、該コイル装着部との間に穿設されたことを特徴とする。
【００２１】
上記構成により、コイルに生じた熱が対物レンズに伝えられるということは、防止され易くなる。レンズホルダのレンズ装着部と、レンズホルダのコイル装着部との間に、熱伝導遮断孔が穿設されることにより、コイルに生じた熱は、対物レンズに伝えられ難くなる。コイルが通電状態とされたときにコイルに生じる熱は、コイルからレンズホルダのコイル装着部に伝えられる。レンズホルダのコイル装着部と、レンズホルダのレンズ装着部との間に、熱伝導遮断孔が穿設されているので、レンズホルダのコイル装着部から、レンズホルダのレンズ装着部に多くの熱が伝えられるということは回避される。従って、対物レンズに対する熱の影響は抑えられる。
【００２２】
請求項７に係る光ピックアップ装置は、請求項１〜６の何れか１項に記載の光ピックアップ装置において、前記熱伝導性改善部材は、熱伝導性に優れる金属材料が用いられて形成され、前記レンズホルダは、該レンズホルダを軽量化させる樹脂材料が用いられて形成されたことを特徴とする。
【００２３】
上記構成により、対物レンズに不均等な温度勾配が生じるということは回避される。樹脂製のレンズホルダに金属製の熱伝導性改善部材が装着されることにより、レンズホルダに装着されたコイルから生じる熱の流れは整えられる。従って、コイルに生じた熱は、レンズホルダを介して略均等に対物レンズに伝えられる。また、一般に金属材料成形体は、樹脂材料成形体よりも剛性が高いため、金属製の熱伝導性改善部材が樹脂製のレンズホルダに装着されることで構成されたレンズホルダ組立体の剛性は向上する。レンズホルダ組立体の剛性が向上するので、対物レンズを備えるレンズホルダ組立体が甚だしく振動するという高次共振の発生は回避される。従って、高次共振に対応した光ピックアップ装置が構成される。
【００２４】
請求項８に係る光ピックアップ装置は、請求項１〜７の何れか１項に記載の光ピックアップ装置において、前記熱伝導性改善部材は、アルミニウム材料が用いられて形成されたことを特徴とする。
【００２５】
上記構成により、対物レンズに不均等な温度勾配が生じるということは回避される。アルミニウム材料成形体は、熱伝導性に優れたものとされている。例えば、アルミニウム材料成形体の熱伝導率は、鉄材料成形体の熱伝導率の約三倍とされ、アルミニウム材料成形体は、熱を伝え易いものとされている。従って、コイルが通電状態とされたときにコイルに生じる熱は、アルミニウム製の熱伝導性改善部材に効率よく伝えられて発散される。また、アルミニウム材料成形体は、比剛性が高いものとされている。一般に、アルミニウム材料成形体は、樹脂材料成形体よりも剛性が高いため、アルミニウム製の熱伝導性改善部材が樹脂製のレンズホルダに装着されることで構成されたレンズホルダ組立体の剛性は向上する。レンズホルダ組立体の剛性が向上するので、対物レンズを備えるレンズホルダ組立体が甚だしく振動するという高次共振の発生は回避される。従って、高次共振に対応し制御が行われ易い光ピックアップ装置が構成される。また、アルミニウム材料成形体は、軽量化に適したものとされている。例えば、アルミニウムの比重は、鉄の比重の約三分の一とされている。アルミニウム材料が用いられて熱伝導性改善部材が形成されることにより、光ピックアップ装置の軽量化が図られる。熱伝導性改善部材がレンズホルダに装着されていても、レンズホルダの動作応答性が低下するということは回避される。また、アルミニウム材料成形体は、非磁性体とされ、磁気をおびず、磁場に影響されないものとされている。このため、アルミニウム製の熱伝導性改善部材が、コイルなどに磁気の影響を及ぼすということは回避される。従って、レンズホルダを駆動可能なコイルに磁気による悪影響が及ぶことのない光ピックアップ装置が構成される。
【００２６】
請求項９に係る光ピックアップ装置は、請求項１〜８の何れか１項に記載の光ピックアップ装置において、前記熱伝導性改善部材は、前記レンズホルダを構成する壁に当接されたことを特徴とする。
【００２７】
上記構成により、レンズホルダに装着されたコイルから生じる熱は、レンズホルダの壁を経由して熱伝導性改善部材に確実に伝えられる。レンズホルダを構成する壁に熱伝導性改善部材が当接されることにより、レンズホルダに熱が蓄積されるということは回避される。コイルから生じた熱は、レンズホルダの壁に当接された熱伝導性改善部材に伝えられて、熱伝導性改善部材から効率よく発散される。
【００２８】
請求項１０に係る光ピックアップ装置は、請求項１〜９の何れか１項に記載の光ピックアップ装置において、前記レンズホルダは、前記対物レンズが装着される第一ピースと、前記熱伝導性改善部材が装着される第二ピースとを備えて構成されたことを特徴とする。
【００２９】
上記構成により、対物レンズに伝えられる熱量は抑えられる。レンズホルダが、対物レンズが装着される第一ピースと、熱伝導性改善部材が装着される第二ピースとの二部材に分けられることにより、例えば、第二ピースから第一ピースに向けた熱の伝わりは間接的となる。第二ピースから第一ピースに向けた熱の伝わりが間接的となるので、対物レンズが装着された第一ピースに伝えられる熱は抑えられる。第一ピースに伝えられる熱が抑えられるので、第一ピースに装着された対物レンズへの熱の伝わりは抑えられる。
【００３０】
請求項１１に係る光ピックアップ装置は、請求項１〜１０の何れか１項に記載の光ピックアップ装置において、前記レンズホルダは、前記対物レンズが装着される第一ピースと、前記熱伝導性改善部材が装着される第二ピースとを備えて構成され、該第一ピースを形成する材料の熱伝導率と、該第二ピースを形成する材料の熱伝導率とが異なることを特徴とする。
【００３１】
上記構成により、対物レンズに伝えられる熱量は抑えられる。第一ピースを形成する材料の熱伝導率と、第二ピースを形成する材料の熱伝導率とが異なる熱伝導率とされていれば、対物レンズが装着された第一ピースに伝えられる熱伝導量は抑えられる。
【００３２】
請求項１２に係る光ピックアップ装置は、請求項１〜１１の何れか１項に記載の光ピックアップ装置において、前記レンズホルダは、前記対物レンズが装着される第一ピースと、前記熱伝導性改善部材が装着される第二ピースとを備えて構成され、前記コイルとして、該第一ピースに装着される第一方向駆動用コイルと、該第二ピースに装着される第二方向駆動用コイルとが用いられ、該第一方向駆動用コイルが巻回される第一コイル装着部が、該第一ピースに設けられ、該第二方向駆動用コイルが巻回される第二コイル装着部が、該第二ピースに設けられたことを特徴とする。
【００３３】
上記構成により、熱対策が行われると共に、価格を抑えた光ピックアップ装置が構成される。例えば、レンズホルダを構成する第一ピースから第二ピースに亘ってコイルを巻回させる構造のレンズホルダが用いられた場合、コイルを第一ピースから第二ピースに亘って効率よく正確に巻回させる作業は、難しい作業とされていた。コイル巻回作業が難しい作業とされた場合、コイル巻回作業に多くの時間が費やされることとなり、これに伴って、光ピックアップ装置の価格が上がることが懸念される。しかしながら、第一ピースの第一コイル装着部に第一方向駆動用コイルが巻回され、第二ピースの第二コイル装着部に第二方向駆動用コイルが巻回されることにより、コイル巻回作業は、効率よく正確に行われる。コイル巻回作業は、レンズホルダの第一ピースの第一コイル装着部に第一方向駆動用コイルが巻回される作業と、レンズホルダの第二ピースの第二コイル装着部に第二方向駆動用コイルが巻回される作業との個別巻回作業とされるので、コイル巻回作業は、無理なく効率的に行われる。従って、光ピックアップ装置の製造コストが低く抑えられる。
【００３４】
請求項１３に係る光ディスク装置は、請求項１〜１２の何れか１項に記載の光ピックアップ装置を備えることを特徴とする。
【００３５】
上記構成により、対物レンズにより集光され光ディスクに照射されたレーザ光のスポットに収差が生じ、その結果、光ディスク装置が正常に機能しないという不具合の発生は回避される。
【発明の効果】
【００３６】
以上の如く、請求項１に記載の発明によれば、対物レンズに対する熱の影響を抑えることができる。レンズホルダに熱伝導性改善部材が装着されることにより、コイルが通電状態とされたときにコイルに生じる熱は、効率よく発散される。また、レンズホルダに熱伝導性改善部材が装着されることにより、コイルが通電状態とされたときにコイルに生じる熱は、対物レンズに略均等に伝えられ易くなる。従って、コイルが通電状態とされたときに、対物レンズが略均一に膨張されず、その結果、対物レンズにより集光され光ディスクに照射されたレーザ光のスポットに収差が生じるという不具合の発生を回避することができる。
【００３７】
請求項２に記載の発明によれば、対物レンズを備えるレンズホルダが甚だしく振動し、レンズホルダが変形するという不具合の発生を回避することができる。熱伝導性改善部材が、レンズホルダの強度を補う補強部材を兼ねたものとされたことにより、レンズホルダに生じる振動は抑えられる。従って、振動に対応した光ピックアップ装置を構成することができる。
【００３８】
請求項３に記載の発明によれば、略箱状のレンズホルダを備えるレンズホルダ組立体の剛性を向上させることができる。略箱状をしたレンズホルダの開口部に、略板状をした熱伝導性改善部材が装着されることにより、略箱状のレンズホルダに対し、熱伝導性改善部材が例えば略板状の蓋として機能する。例えば、蓋が閉じられていない箱状物と、蓋が閉じられた箱状物との強度を比較した場合、蓋が閉じられた箱状物のほうが、蓋が閉じられていない箱状物よりも強度が向上する。これに基づき、略箱状のレンズホルダの開口部に、略板状の熱伝導性改善部材を装着させることにより、レンズホルダおよび熱伝導性改善部材を備えるレンズホルダ組立体の剛性や強度は向上する。レンズホルダ組立体の剛性が向上するので、対物レンズを備えるレンズホルダが甚だしく振動するという高次共振の発生は回避される。従って、高次共振に対応し制御が行われ易い光ピックアップ装置を構成することができる。
【００３９】
請求項４に記載の発明によれば、対物レンズに対する熱の影響を抑えることができる。レンズホルダにおいて、対物レンズが取り付けられるレンズ装着部の略反対側の部材装着部に、熱伝導性改善部材が取り付けられることにより、対物レンズに伝えられる熱が略均一化され、対物レンズの温度勾配が少なくなる。レンズホルダに装着されたコイルから生じる熱の多くは、レンズホルダの部材装着部に取り付けられた熱伝導性改善部材に伝えられて発散される。また、レンズホルダにおいて、熱伝導性改善部材が取り付けられた部材装着部の略反対側のレンズ装着部に、対物レンズが取り付けられることにより、熱の一部が、レンズホルダのレンズ装着部に取り付けられた対物レンズに伝えられる。このように光ピックアップ装置が構成されることにより、対物レンズに生じようとされる温度むらが抑えられる。対物レンズの温度むらが抑えられるので、対物レンズは略均一に熱膨張する。略均一に対物レンズが熱膨張することにより、対物レンズにより集光され光ディスクに照射されたレーザ光のスポットに収差が生じるということは回避される。従って、収差が発生され難く制御が行われ易い光ピックアップ装置を構成することができる。
【００４０】
請求項５に記載の発明によれば、熱対策が行われると共にバランスのとれたレンズ組立体を構成することができる。光ピックアップ装置のレンズ組立体は、レンズホルダを駆動可能なコイルと、第一波長レーザ光に対応した第一対物レンズと、第二波長レーザ光に対応した第二対物レンズと、各対物レンズに対する熱の影響を抑える熱伝導性改善部材と、コイルと第一対物レンズと第二対物レンズと熱伝導性改善部材とが装着されるレンズホルダとを備えるものとして構成される。レンズホルダのレンズ装着部に、第一対物レンズおよび第二対物レンズが取り付けられることにより、レンズホルダのレンズ装着部側の重量が増加する。しかしながら、レンズホルダのレンズ装着部の反対側とされる部材装着部に、熱伝導性改善部材が取り付けられることにより、レンズホルダの部材装着部側の重量が増加するので、レンズ組立体のバランスは保たれる。レンズ組立体のバランスが保たれるので、レンズ組立体を備える光ピックアップ装置の暴走発生を回避することができる。
【００４１】
請求項６に記載の発明によれば、コイルに生じた熱が対物レンズに伝えられるということを、防止させ易くすることができる。レンズホルダのレンズ装着部と、レンズホルダのコイル装着部との間に、熱伝導遮断孔が穿設されることにより、コイルに生じた熱は、対物レンズに伝えられ難くなる。コイルが通電状態とされたときにコイルに生じる熱は、コイルからレンズホルダのコイル装着部に伝えられる。レンズホルダのコイル装着部と、レンズホルダのレンズ装着部との間に、熱伝導遮断孔が穿設されているので、レンズホルダのコイル装着部から、レンズホルダのレンズ装着部に多くの熱が伝えられるということは回避される。従って、対物レンズに対する熱の影響を抑えることができる。
【００４２】
請求項７に記載の発明によれば、対物レンズに不均等な温度勾配が生じるということを、回避することができる。樹脂製のレンズホルダに金属製の熱伝導性改善部材が装着されることにより、レンズホルダに装着されたコイルから生じる熱の流れは整えられる。従って、コイルに生じた熱は、レンズホルダを介して略均等に対物レンズに伝えられる。また、一般に金属材料成形体は、樹脂材料成形体よりも剛性が高いため、金属製の熱伝導性改善部材が樹脂製のレンズホルダに装着されることで構成されたレンズホルダ組立体の剛性は向上する。レンズホルダ組立体の剛性が向上するので、対物レンズを備えるレンズホルダ組立体が甚だしく振動するという高次共振の発生は回避される。従って、高次共振に対応した光ピックアップ装置を構成することができる。
【００４３】
請求項８に記載の発明によれば、対物レンズに不均等な温度勾配が生じるということを回避することができる。アルミニウム材料成形体は、熱伝導性に優れたものとされている。例えば、アルミニウム材料成形体の熱伝導率は、鉄材料成形体の熱伝導率の約三倍とされ、アルミニウム材料成形体は、熱を伝え易いものとされている。従って、コイルが通電状態とされたときにコイルに生じる熱は、アルミニウム製の熱伝導性改善部材に効率よく伝えられて発散される。また、アルミニウム材料成形体は、比剛性が高いものとされている。一般に、アルミニウム材料成形体は、樹脂材料成形体よりも剛性が高いため、アルミニウム製の熱伝導性改善部材が樹脂製のレンズホルダに装着されることで構成されたレンズホルダ組立体の剛性は向上する。レンズホルダ組立体の剛性が向上するので、対物レンズを備えるレンズホルダ組立体が甚だしく振動するという高次共振の発生は回避される。従って、高次共振に対応し制御が行われ易い光ピックアップ装置を構成することができる。また、アルミニウム材料成形体は、軽量化に適したものとされている。例えば、アルミニウムの比重は、鉄の比重の約三分の一とされている。アルミニウム材料が用いられて熱伝導性改善部材が形成されることにより、光ピックアップ装置の軽量化を図ることができる。熱伝導性改善部材がレンズホルダに装着されていても、レンズホルダの動作応答性が低下するということは回避される。また、アルミニウム材料成形体は、非磁性体とされ、磁気をおびず、磁場に影響されないものとされている。このため、アルミニウム製の熱伝導性改善部材が、コイルなどに磁気の影響を及ぼすということは回避される。従って、レンズホルダを駆動可能なコイルに磁気による悪影響が及ぶことのない光ピックアップ装置を構成することができる。
【００４４】
請求項９に記載の発明によれば、レンズホルダに装着されたコイルから生じる熱は、レンズホルダの壁を経由して熱伝導性改善部材に確実に伝えられる。レンズホルダを構成する壁に熱伝導性改善部材が当接されることにより、レンズホルダに熱が蓄積されるということを回避させることができる。コイルから生じた熱は、レンズホルダの壁に当接された熱伝導性改善部材に伝えられて、熱伝導性改善部材から効率よく発散される。
【００４５】
請求項１０に記載の発明によれば、対物レンズに伝えられる熱量を抑えることができる。レンズホルダが、対物レンズが装着される第一ピースと、熱伝導性改善部材が装着される第二ピースとの二部材に分けられることにより、例えば、第二ピースから第一ピースに向けた熱の伝わりは間接的となる。第二ピースから第一ピースに向けた熱の伝わりが間接的となるので、対物レンズが装着された第一ピースに伝えられる熱は抑えられる。第一ピースに伝えられる熱が抑えられるので、第一ピースに装着された対物レンズへの熱の伝わりは抑えられる。
【００４６】
請求項１１に記載の発明によれば、対物レンズに伝えられる熱量を抑えることができる。第一ピースを形成する材料の熱伝導率と、第二ピースを形成する材料の熱伝導率とが異なる熱伝導率とされていれば、対物レンズが装着された第一ピースに伝えられる熱伝導量は抑えられる。
【００４７】
請求項１２に記載の発明によれば、熱対策が行われると共に、価格を抑えた光ピックアップ装置を構成することができる。例えば、レンズホルダを構成する第一ピースから第二ピースに亘ってコイルを巻回させる構造のレンズホルダが用いられた場合、コイルを第一ピースから第二ピースに亘って効率よく正確に巻回させる作業は、難しい作業とされていた。コイル巻回作業が難しい作業とされた場合、コイル巻回作業に多くの時間が費やされることとなり、これに伴って、光ピックアップ装置の価格が上がることが懸念される。しかしながら、第一ピースの第一コイル装着部に第一方向駆動用コイルが巻回され、第二ピースの第二コイル装着部に第二方向駆動用コイルが巻回されることにより、コイル巻回作業は、効率よく正確に行われる。コイル巻回作業は、レンズホルダの第一ピースの第一コイル装着部に第一方向駆動用コイルが巻回される作業と、レンズホルダの第二ピースの第二コイル装着部に第二方向駆動用コイルが巻回される作業との個別巻回作業とされるので、コイル巻回作業は、無理なく効率的に行われる。従って、光ピックアップ装置の製造コストを低く抑えることができる。
【００４８】
請求項１３に記載の発明によれば、対物レンズにより集光され光ディスクに照射されたレーザ光のスポットに収差が生じ、その結果、光ディスク装置が正常に機能しないという不具合の発生を回避することができる。
【図面の簡単な説明】
【００４９】
【図１】本発明に係る光ピックアップ装置のレンズ組立体の一実施形態を示す分解斜視図である。
【図２】光ピックアップ装置を構成するレンズ組立体の上側を示す斜視図である。
【図３】光ピックアップ装置を構成するレンズ組立体の下側を示す斜視図である。
【図４】光ピックアップ装置の上側を示す斜視図である。
【図５】光ピックアップ装置の下側を示す斜視図である。
【発明を実施するための形態】
【００５０】
以下に本発明に係る光ピックアップ装置および光ディスク装置の一実施の形態を図面に基づいて詳細に説明する。
【００５１】
図１は、本発明に係る光ピックアップ装置のレンズ組立体の一実施形態を示す分解斜視図、図２は、光ピックアップ装置を構成するレンズ組立体の上側を示す斜視図、図３は、光ピックアップ装置を構成するレンズ組立体の下側を示す斜視図、図４は、光ピックアップ装置の上側を示す斜視図、図５は、光ピックアップ装置の下側を示す斜視図である。
【００５２】
各方向について説明すると、レンズホルダ５（図１，図２，図４）に各対物レンズ３１，３２が取り付けられる側を、レンズホルダ５の上側、又はレンズホルダ組立体６の上側、又はレンズ組立体７の上側、又は光ピックアップ装置１の上側とする。また、レンズホルダ５（図１，図３，図５）に補強用熱伝導性改善部材５０が取り付けられる側を、レンズホルダ５の下側、又はレンズホルダ組立体６の下側、又はレンズ組立体７の下側、又は光ピックアップ装置１の下側とする。
【００５３】
また、コイル４３（図１〜図４）からコイル４４にかけた方向もしくはコイル４４からコイル４３にかけた方向、又は、コイル４５からコイル４６にかけた方向もしくはコイル４６からコイル４５にかけた方向を、レンズホルダ５の前後方向Ｄ１、又はレンズホルダ組立体６の前後方向Ｄ１、又はレンズ組立体７の前後方向Ｄ１、又は光ピックアップ装置１の前後方向Ｄ１とする。この明細書における前後方向Ｄ１は、第一方向Ｄ１と定められる。
【００５４】
また、各対物レンズ３１，３２（図１〜図３）から補強用熱伝導性改善部材５０にかけた方向もしくは補強用熱伝導性改善部材５０から各対物レンズ３１，３２にかけた方向を、レンズホルダ５の上下方向Ｄ２、又はレンズホルダ組立体６の上下方向Ｄ２、又はレンズ組立体７の上下方向Ｄ２、又は光ピックアップ装置１の上下方向Ｄ２とする。この明細書における上下方向Ｄ２は、第二方向Ｄ２と定められる。
【００５５】
また、コイル４１（図１〜図５）からコイル４２にかけた方向もしくはコイル４２からコイル４１にかけた方向を、レンズホルダ５の左右方向Ｄ３、又はレンズホルダ組立体６の左右方向Ｄ３、又はレンズ組立体７の左右方向Ｄ３、又は光ピックアップ装置１の左右方向Ｄ３とする。この明細書における左右方向Ｄ３は、第三方向Ｄ３と定められる。
【００５６】
なお、この明細書における「前」，「後」，「上」，「下」，「左」，「右」の定義は、光ピックアップ装置１および光ディスク装置（図示せず）を説明するために、便宜上、定められたものとされている。
【００５７】
光ピックアップ（optical pickup）は、一般に「ＯＰＵ」と略称される。また、「optical pickup unit」が「ＯＰＵ」と略称されて用いられることもある。ここでは、便宜上、光ピックアップ装置をＯＰＵと略称して用いる。
【００５８】
また、対物レンズ（objective lens）は、「ＯＢＬ」と略称して用いられている。ＯＢＬ３１，３２は、各発光素子（図示せず）から出射されたレーザ光を光ディスクの信号部へ集光させる役割を果す。ＯＢＬ３１，３２は、略無色透明なガラス材料が用いられて形成されている。例えば、略無色透明な合成樹脂材料が用いられ、大量生産性に優れる射出成形法に基づいて、ＯＢＬ３１，３２が形成されていてもよい。
【００５９】
光ディスク装置に内装されたＯＰＵ１（図４，図５）が用いられて、光ディスク（図示せず）における情報などのデータの再生または記録が行われる。光ディスクとして、例えば、ＣＤ系列の光ディスクや、ＤＶＤ系列の光ディスクなどが挙げられる（何れも図示せず）。「ＣＤ」は、「Compact Disc」（商標）の略称である。また、「ＤＶＤ」は「Digital Versatile Disc」（登録商標）の略称である。
【００６０】
光ディスクについて詳しく説明すると、光ディスクとして、例えば、「ＣＤ−ＲＯＭ」，「ＤＶＤ−ＲＯＭ」などのデータ読出し専用の光ディスクや、「ＣＤ−Ｒ」，「ＤＶＤ−Ｒ」，「ＤＶＤ＋Ｒ」などのデータ追記型の光ディスクや、「ＣＤ−ＲＷ」，「ＤＶＤ−ＲＷ」，「ＤＶＤ＋ＲＷ」（登録商標），「ＤＶＤ−ＲＡＭ」，「ＨＤ  ＤＶＤ」（登録商標），「Blu-ray Disc」（登録商標）などのデータ書込み／消去やデータ書換え可能なタイプの光ディスクなどが挙げられる。
【００６１】
「ＣＤ−ＲＯＭ」もしくは「ＤＶＤ−ＲＯＭ」の「ＲＯＭ」は、「Read Only Memory」の略称である。「ＣＤ−ＲＯＭ」もしくは「ＤＶＤ−ＲＯＭ」は、データ／情報読出し専用のものである。また、「ＣＤ−Ｒ」または「ＤＶＤ−Ｒ」もしくは「ＤＶＤ＋Ｒ」の「Ｒ」は、「Recordable」の略称である。「ＣＤ−Ｒ」または「ＤＶＤ−Ｒ」もしくは「ＤＶＤ＋Ｒ」は、データ／情報の書込みが可能なものである。また、「ＣＤ−ＲＷ」または「ＤＶＤ−ＲＷ」もしくは「ＤＶＤ＋ＲＷ」の「ＲＷ」は、「Re-Writable」の略称である。「ＣＤ−ＲＷ」または「ＤＶＤ−ＲＷ」もしくは「ＤＶＤ＋ＲＷ」は、データ／情報の書換えが可能なものである。また、「ＤＶＤ−ＲＡＭ」は「Digital Versatile Disc Random Access Memory」の略称である。「ＤＶＤ−ＲＡＭ」はデータ／情報の読み書き／消去が可能なものである。
【００６２】
また「ＨＤ  ＤＶＤ」は「High Definition DVD」の略称である。「ＨＤ  ＤＶＤ」は、従来のＤＶＤ系列のものと互換性をもたせ、且つ、従来のＤＶＤ系列のディスクよりも記憶容量の大きいものである。従来のＣＤには、赤外レーザが用いられていた。また、従来のＤＶＤには、赤色レーザが用いられていた。しかしながら、「ＨＤ  ＤＶＤ」の光ディスクに記録されたデータ／情報が読み出されるときには、青紫色レーザが用いられる。また「Blu-ray」とは、従来の信号の読み書きに用いられていた赤色のレーザに対し、高密度記録が実現されるために採用された青紫色のレーザを意味する。
【００６３】
また、光ディスクとして、例えばディスク両面に信号面が設けられ、データ書込み／消去やデータ書換えが可能とされた光ディスク（図示せず）等も挙げられる。また、光ディスクとして、例えば二層の信号面が設けられ、データ書込み／消去やデータ書換えが可能とされた光ディスク（図示せず）等も挙げられる。また、例えば三層の信号面が設けられ、データ書込み／消去やデータ書換えが可能とされた「ＨＤ−ＤＶＤ」用光ディスク（図示せず）等も挙げられる。また、例えば四層の信号面が設けられ、データ書込み／消去やデータ書換えが可能とされた「Blu-ray Disc」用光ディスク（図示せず）等も挙げられる。また、ディスクのレーベル面側にもレーザ光を照射させてレーベル等の各種書込みが可能とされた光ディスク（図示せず）等も挙げられる。
【００６４】
ＯＰＵ１は、前記各種光ディスクに記録されたデータを再生させたり、前記書込み可能もしくは書換え可能な各種光ディスクにデータを記録させたりするときに用いられる。ＯＰＵ１は、ＣＤ系の光ディスクや、ＤＶＤ系の光ディスク等に対応する。このＯＰＵ１は、複数の光ディスクに対応可能なものとされている。
【００６５】
このＯＰＵ１（図４，図５）は、Blu-ray Disc，ＤＶＤ，ＣＤ系列などの光ディスクの信号面（図示せず）に対しレーザ光を集光させる複数のＯＢＬ３１，３２（図１〜図３）と、各ＯＢＬ３１，３２を保持する一つのレンズホルダ５と、レンズホルダ５に装着されレンズホルダ５を駆動可能な複数のコイル４１，４２，４３，４４，４５，４６と、レンズホルダ５に装着され、コイル４１，４２，４３，４４，４５，４６に電流が流されてコイル４１，４２，４３，４４，４５，４６が通電状態とされたときに、コイル４１，４２，４３，４４，４５，４６に生じる熱を発散させつつ、レンズホルダ５を介してＯＢＬ３１，３２に熱を略均等に伝えさせる一つの熱伝導性改善部材５０とを備えるものとされている。
【００６６】
熱伝導性改善部材５０がＯＰＵ１に装備されていれば、ＯＢＬ３１，３２に対する熱の影響は抑えられる。レンズホルダ５に熱伝導性改善部材５０が装着されることにより、コイル４１，４２，４３，４４，４５，４６に電流が流されてコイル４１，４２，４３，４４，４５，４６が通電状態とされたときに、コイル４１，４２，４３，４４，４５，４６に生じる熱は、効率よく発散される。また、レンズホルダ５に熱伝導性改善部材５０が装着されることにより、コイル４１，４２，４３，４４，４５，４６に電流が流されてコイル４１，４２，４３，４４，４５，４６が通電状態とされたときに、コイル４１，４２，４３，４４，４５，４６に生じる熱は、レンズホルダ５を介してＯＢＬ３１，３２に略均等に伝えられ易くなる。従って、コイル４１，４２，４３，４４，４５，４６が通電状態とされたときに、ＯＢＬ３１，３２が略均一に膨張されず、その結果、ＯＢＬ３１，３２により集光され光ディスクに照射されたレーザ光のスポットに収差が生じるという不具合の発生は回避される。
【００６７】
各コイル４１，４２，４３，４４，４５，４６に電流が流されたときに、レンズホルダ５全体が略均一に温められつつレンズホルダ５の温度が上がる。これにより、ＯＢＬ３１，３２の略中心部３１ｃ，３２ｃに対し、レンズ周縁部３１ｅ，３２ｅの温度が略均一の温度となる。従って、ＯＢＬ３１，３２に生じる熱膨張により、ＯＢＬ３１，３２により絞られ光ディスクに照射されたレーザ光のスポットに収差が生じるということは回避される。
【００６８】
ＯＰＵ１の駆動部２（図４，図５）は、例えば、電流が流されて通電状態とされたときに電磁力を発生する複数のコイル４１，４２，４３，４４，４５，４６と、複数のコイル４１，４２，４３，４４，４５，４６に対応し常に磁力を発生する複数の磁石６１，６２，６３，６４，６５，６６と、各磁石６１，６２が装着される第一ヨーク８１（図５）と、各磁石６３，６４，６５，６６が装着される第二ヨーク８２と、コイル４１（図４）の近傍に位置しレーザ光が透過する第一ＯＢＬ３１と、コイル４２の近傍に位置しレーザ光が透過する第二ＯＢＬ３２と、複数のＯＢＬ３１，３２に対する熱の影響を抑える一つの熱伝導性改善部材５０（図５）と、複数のコイル４１，４２，４３，４４，４５，４６（図４）と複数のＯＢＬ３１，３２と一つの熱伝導性改善部材５０とが装着される一つのレンズホルダ５（図１〜図５）と、一つのレンズホルダ５を弾性支持する複数のサスペンション部７０（図４，図５）とを備えるものとして構成されている。
【００６９】
「ヨーク」とは、例えば磁気的な連結を構造的に支持したものを意味する。また、ヨーク（yoke）は、磁石から生じる磁力の漏れを少なくさせるものとされている。また、ＯＰＵ１の駆動部２は、いわゆるアクチュエータ２として構成されている。「アクチュエータ」とは、例えばエネルギーを並進運動または回転運動に変換させる駆動装置を意味する。アクチュエータ（actuator）は、「ＡＣＴ」と略称されて用いられる。各ＯＢＬ３１，３２によって絞られたレーザ光の焦点が、光ディスクの信号層に合わせられるときに、各ＯＢＬ３１，３２が装着されたレンズ組立体７は、アクチュエータ２により前後上下に駆動される。
【００７０】
第一方向駆動用コイル４１（図５）に対応して、第一方向駆動用磁石６１が第一ヨーク８１に取付固定されている。また、第一方向駆動用コイル４２に対応して、第一方向駆動用磁石６２が第一ヨーク８１に取付固定されている。また、第二方向駆動用コイル４３に対応して、第二方向駆動用磁石６３が第二ヨーク８２に取付固定されている。また、第二方向駆動用コイル４４（図４）に対応して、第二方向駆動用磁石６４が第二ヨーク８２に取付固定されている。また、第二方向駆動用コイル４５（図４，図５）に対応して、第二方向駆動用磁石６５が第二ヨーク８２に取付固定されている。また、第二方向駆動用コイル４６（図４）に対応して、第二方向駆動用磁石６６が第二ヨーク８２に取付固定されている。
【００７１】
コイル４１，４２，４３，４４，４５，４６は、例えば、治工具（図示せず）などが用いられて細径の線状導体がコイル装着部１１，１２，２３，２４，２５，２６に巻回されることにより構成される。導体として、例えば細径のエナメル材被覆電線が用いられた。エナメル材が被覆された細径線状導体の巻回作業が行われることにより、例えば、二層巻タイプのコイル４１，４２，４３，４４，４５，４６が構成される。なお、ＯＰＵ１の設計／仕様などにより、図１〜図５に示すコイル４１，４２，４３，４４，４５，４６に代えて、他の形態のコイル（図示せず）が用いられてもよい。
【００７２】
例えば、コイル４１，４２，４３，４４，４５，４６として、一層巻されたコイル（４１，４２，４３，４４，４５，４６）が用いられてもよい。また、例えば、コイル（４１，４２，４３，４４，４５，４６）として、ガラス層部や、エポキシ樹脂層部などの樹脂層部などを備える基板に、回路導体が鍍金処理されて構成されたコイルが用いられてもよい（何れも図示せず）。例えば、コイルとして、プリントコイルが用いられてもよい。
【００７３】
なお、この明細書において、符号に付けられた括弧（  ）は、図示されたものと若干異なる形状のものを説明するために、便宜上、用いられている。
【００７４】
また、各ＯＢＬ３１，３２、各コイル４１，４２，４３，４４，４５，４６および熱伝導性改善用補強部材５０が装着されたレンズホルダ５は、複数のサスペンションワイヤ７０（図４，図５）によって、移動可能に弾性支持されている。また、各金属製サスペンションワイヤ７０は、回路導体が設けられた制御基板９０いわゆる回路基板９０に通電可能に接続されて取り付けられている。
【００７５】
サスペンションワイヤ７０として、弾性支持特性に優れると共に細径の導体とされる電線が用いられている。金属製サスペンションワイヤ７０は、レンズホルダ５（図１〜図３）の第一ピース１０に突出形成されたワイヤ装着部５ｖのワイヤ取付孔５ｗに挿通され、コイル４１，４２，４３，４４，４５，４６の一端部に半田接続されて、レンズホルダ５に取り付けられる。そのときに、一対のワイヤ装着部５ｖ，５ｖの各ワイヤ取付孔５ｗに各サスペンションワイヤ７０が挿通された状態で、ワイヤ取付孔５ｗに下記電子線硬化型接着剤などの接着剤が塗布され、電子線硬化型接着剤などの接着剤が固化することにより、レンズホルダ５に各サスペンションワイヤ７０が固定される。接着剤として、例えば、レンズホルダ５（図１，図２）を構成する第一ピース１０に第一ＯＢＬ３１および第二ＯＢＬ３２を固着させる接着剤と同じ種類の接着剤を用いる。各ＯＢＬ３１，３２が装着されたレンズホルダ５は、複数の金属製サスペンションワイヤ７０（図４，図５）によって、移動可能に弾性支持されている。
【００７６】
回路基板９０の基板本体９１は、絶縁性に優れる合成樹脂材料が用いられて形成されている。例えば、合成樹脂製の基板本体９１の上に、金属製の回路導体が形成され、その上に、絶縁被膜が設けられて、回路基板９０が構成される（何れも図示せず）。回路基板は、例えば、ＰＷＢ（printed wired board / printed wiring board）等と呼ばれている。
【００７７】
また、ＯＰＵ１の可動部３（図４，図５）は、例えば、電流が流されて通電状態とされたときに電磁力を発生する六つのコイル４１，４２，４３，４４，４５，４６と、コイル４１（図４）の近傍に位置しレーザ光が透過する第一ＯＢＬ３１と、コイル４２の近傍に位置しレーザ光が透過する第二ＯＢＬ３２と、二つのＯＢＬ３１，３２に対する熱の影響を抑える一つの熱伝導性改善部材５０（図５）と、六つのコイル４１，４２，４３，４４，４５，４６（図４）と二つのＯＢＬ３１，３２と一つの熱伝導性改善部材５０とが装着される一つのレンズホルダ５（図１〜図５）と、一つのレンズホルダ５を弾性支持する六本のサスペンションワイヤ７０（図４，図５）とを備えるものとして構成されている。
【００７８】
回路基板９０と、サスペンションワイヤ７０とが通電可能に接続され、サスペンションワイヤ７０と、コイル４１，４２，４３，４４，４５，４６とが通電可能に接続され、回路基板９０からサスペンションワイヤ７０を経由してコイル４１，４２，４３，４４，４５，４６に電流が流されることで、コイル４１，４２，４３，４４，４５，４６と、対物レンズ３１，３２と、熱伝導性改善部材５０とを備えるレンズホルダ５が動かされる。
【００７９】
レーザ光が通過可能な一対のレーザ光通過孔部５１ａ，５１ｂ（図１，図３，図５）が熱伝導性改善用補強部材５０に設けられている。熱伝導性改善用補強部材５０に設けられた一対のレーザ光通過孔部５１ａ，５１ｂは、熱伝導性改善用補強部材５０を軽量化させる肉抜き部を兼ねたものとされている。
【００８０】
また、熱伝導性改善部材５０（図１〜図３）は、レンズホルダ５の剛性や強度を補う補強部材５０を兼ねたものとされている。
【００８１】
これにより、例えばＯＰＵ１のシーク時に、複数のＯＢＬ３１，３２を備えるレンズホルダ５が甚だしく振動し、レンズホルダ５が塑性変形するという不具合の発生は回避される。熱伝導性改善部材５０が、レンズホルダ５の剛性や強度を補う補強部材５０を兼ねたものとされたことにより、レンズホルダ５に生じる振動は抑えられる。従って、振動に対応したＯＰＵ１が構成される。
【００８２】
図３および図５の如く、レンズホルダ５は、下側開口部５ａを有する略矩形箱状に形成されている。熱伝導性改善用補強部材５０（図１，図３）は、レンズホルダ５の下側開口部５ａ（図３）に対応した略平板状に形成されている（図１）。レンズホルダ５の下側開口部５ａ（図３）に熱伝導性改善用補強部材５０が装着されて、レンズホルダ組立体６が構成される。
【００８３】
これにより、略矩形箱状のレンズホルダ５を備えるレンズホルダ組立体６の剛性が向上する。略矩形箱状をしたレンズホルダ５の下側開口部５ａに、略平板状をした熱伝導性改善用補強部材５０が装着されることにより、略矩形箱状のレンズホルダ５に対し、熱伝導性改善用補強部材５０が例えば略平板状の蓋として機能する。例えば、蓋が閉じられていない箱状物と、蓋が閉じられた箱状物との強度を比較した場合、蓋が閉じられた箱状物のほうが、蓋が閉じられていない箱状物よりも強度が向上する。これに基づき、略矩形箱状のレンズホルダ５の下側開口部５ａに、略平板状の熱伝導性改善用補強部材５０を装着させることにより、レンズホルダ５および熱伝導性改善用補強部材５０を備えるレンズホルダ組立体６の剛性や強度は向上する。レンズホルダ組立体６の剛性が向上するので、例えば、ＯＰＵ１のシーク時に、複数のＯＢＬ３１，３２を備えるレンズホルダ５が甚だしく振動するという高次共振の発生は回避される。従って、高次共振に対応し制御が行われ易いＯＰＵ１が構成される。
【００８４】
ここでいう高次共振とは、例えば、ＯＰＵ１を構成する可動部３が変形するほどの共振した状態を意味する。
【００８５】
レンズホルダ組立体６を構成するレンズホルダ５（図１，図２）は、ＯＢＬ３１，３２が取り付けられるレンズ装着部１３ａ，１３ｂと、熱伝導性改善用補強部材５０が取り付けられる部材装着部１７，２７（図３）とを備えたものとされている。レンズホルダ５に形成されたレンズ装着部１３ａ，１３ｂ（図１）の略反対側に、部材装着部１７，２７（図３）が形成されている。レンズホルダ５（図１，図２）の上側にレンズ装着部１３ａ，１３ｂが形成され、レンズホルダ５（図３）の下側に部材装着部１７，２７が形成されている。レンズ組立体７（図１）を構成する各ＯＢＬ３１，３２は、レンズホルダ５の上側部５ｃに取り付けられている。これに対し、熱伝導性改善用補強部材５０（図３）は、レンズホルダ５の上側部５ｃの略反対側部とされるレンズホルダ５の下側部５ｄに取り付けられている。
【００８６】
このようにレンズ組立体７が構成されていれば、各ＯＢＬ３１，３２に対する熱の影響は抑えられる。レンズホルダ５において、各ＯＢＬ３１，３２が取り付けられるレンズ装着部１３ａ，１３ｂの略反対側の部材装着部１７，２７に、熱伝導性改善用補強部材５０が取り付けられることにより、ＯＢＬ３１，３２に伝えられる熱が略均一化され、ＯＢＬ３１，３２の温度勾配が少なくなる。レンズホルダ５に装着されたコイル４１，４２，４３，４４，４５，４６から生じる熱の多くは、レンズホルダ５の部材装着部１７，２７に取り付けられた熱伝導性改善用補強部材５０に伝えられて発散される。また、レンズホルダ５において、熱伝導性改善用補強部材５０が取り付けられた部材装着部１７，２７の略反対側のレンズ装着部１３ａ，１３ｂに、ＯＢＬ３１，３２が取り付けられることにより、熱の一部が、レンズホルダ５のレンズ装着部１３ａ，１３ｂに取り付けられたＯＢＬ３１，３２に伝えられる。
【００８７】
このようにＯＰＵ１が構成されることにより、ＯＢＬ３１，３２に生じようとされる「温度むら」が抑えられる。ＯＢＬ３１，３２の「温度むら」が抑えられるので、ＯＢＬ３１，３２は略均一に熱膨張する。略均一にＯＢＬ３１，３２が熱膨張することにより、ＯＢＬ３１，３２により集光され光ディスクに照射されたレーザ光のスポットに収差が生じるということは回避される。従って、収差が発生され難く制御が行われ易いＯＰＵ１が構成される。
【００８８】
ＯＢＬ３１，３２（図１）として、第一波長レーザ光に対応した第一ＯＢＬ３１と、第一波長レーザ光に対応すると共に第一波長レーザ光と異なる波長光の第二波長レーザ光に対応した第二ＯＢＬ３２との二種類のＯＢＬ３１，３２が用いられている。
【００８９】
レンズホルダ５（図１，図２）は、第一ＯＢＬ３１が取り付けられる第一レンズ装着部１３ａと、第二ＯＢＬ３２が取り付けられる第二レンズ装着部１３ｂと、熱伝導性改善用補強部材５０が取り付けられる部材装着部１７，２７（図３）とを備えたものとされている。レンズホルダ５に形成された第一レンズ装着部１３ａおよび第二レンズ装着部１３ｂの略反対側に、部材装着部１７，２７が形成されている。
【００９０】
レンズホルダ５のレンズ装着部１３ａ，１３ｂ（図１）に第一ＯＢＬ３１および第二ＯＢＬ３２が取り付けられ、レンズホルダ５の部材装着部１７，２７に熱伝導性改善用補強部材５０が取り付けられることで、レンズ組立体７（図２，図３）が構成される。
【００９１】
これにより、熱対策が行われると共にバランスのとれたレンズ組立体７が構成される。ＯＰＵ１のレンズ組立体７は、電流が流されて通電状態とされたときに電磁力を発生しレンズホルダ５を駆動可能な複数のコイル４１，４２，４３，４４，４５，４６と、コイル４１の近傍に位置し第一波長レーザ光に対応した第一ＯＢＬ３１と、コイル４２の近傍に位置し第二波長レーザ光に対応した第二ＯＢＬ３２と、各ＯＢＬ３１，３２に対する熱の影響を抑える一つの熱伝導性改善用補強部材５０と、複数のコイル４１，４２，４３，４４，４５，４６と第一ＯＢＬ３１と第二ＯＢＬ３２と熱伝導性改善用補強部材５０とが装着されるレンズホルダ５とを備えるものとして構成される。
【００９２】
レンズホルダ５の上側のレンズ装着部１３ａ，１３ｂに、第一ＯＢＬ３１および第二ＯＢＬ３２が取り付けられることにより、レンズホルダ５の上側とされるレンズ装着部１３ａ，１３ｂ側の重量が増加する。しかしながら、レンズホルダ５のレンズ装着部１３ａ，１３ｂの反対側とされレンズホルダ５の下側とされる部材装着部１７，２７に、熱伝導性改善用補強部材５０が取り付けられることにより、レンズホルダ５の下側とされる部材装着部１７，２７側の重量が増加するので、レンズ組立体７の全体のバランスは保たれる。熱伝導性改善用補強部材５０は、バランサとしての役目を果す。熱伝導性改善用補強部材５０がレンズ組立体７に装備されることにより、複数のＯＢＬ３１，３２を備えるレンズ組立体７全体のバランスが保たれるので、例えば、ＯＰＵ１のシーク時に、レンズ組立体７を備えるＯＰＵ１が暴走するという不具合の発生は回避され易くなる。
【００９３】
第一ＯＢＬ３１と、第二ＯＢＬ３２との二つのＯＢＬ３１，３２を備えるレンズホルダ５においては、レンズホルダ５が駆動されるときに、ヨーイングが発生され易い。補強部材５０を兼ねた熱伝導性改善部材５０がレンズホルダ５に装着されることにより、レンズホルダ５に生じるヨーイングが抑えられる。
【００９４】
レンズホルダ５（図１，図２）を構成する第一ピース１０に第一ＯＢＬ３１および第二ＯＢＬ３２を固着させる接着剤として、例えば光などの電子線が照射されることで硬化する電子線硬化型接着剤（図示せず）が用いられた。具体的に説明すると、接着剤として、紫外線が照射されることで硬化する紫外線硬化型接着剤が用いられた。
【００９５】
レンズホルダ５を構成する第一ピース１０の第一レンズ装着部１３ａに第一ＯＢＬ３１が装備され、第一レンズ装着部１３ａの周縁部１３ｃから第一ＯＢＬ３１の周縁部３１ｅにかけて紫外線硬化型接着剤などの電子線硬化型接着剤が塗布され、紫外線硬化型接着剤などの電子線硬化型接着剤に紫外線などの電子線が照射されることにより、短時間で第一レンズ装着部１３ａに第一ＯＢＬ３１が固着される。
【００９６】
また、レンズホルダ５を構成する第一ピース１０の第二レンズ装着部１３ｂに第二ＯＢＬ３２が装備され、第二レンズ装着部１３ｂの周縁部１３ｄから第二ＯＢＬ３２の周縁部３２ｅにかけて紫外線硬化型接着剤などの電子線硬化型接着剤が塗布され、紫外線硬化型接着剤などの電子線硬化型接着剤に紫外線などの電子線が照射されることにより、短時間で第二レンズ装着部１３ｂに第二ＯＢＬ３２が固着される。
【００９７】
これにより、第一ＯＢＬ３１および第二ＯＢＬ３２は、レンズホルダ５を構成する第一ピース１０に精度よく迅速に固定される。レンズホルダ５を構成する第一ピース１０の第一レンズ装着部１３ａに第一ＯＢＬ３１が精度よく固定されることにより、光ディスクの信号面部に精度よくレーザ光が照射される。また、レンズホルダ５を構成する第一ピース１０の第二レンズ装着部１３ｂに第二ＯＢＬ３２が精度よく固定されることにより、光ディスクの信号面部に精度よくレーザ光が照射される。また、レンズホルダ５を構成する第一ピース１０に第一ＯＢＬ３１および第二ＯＢＬ３２が迅速に固着されることにより、レンズホルダ５を構成する第一ピース１０に対する第一ＯＢＬ３１および第二ＯＢＬ３２の接着作業は速やかに行われる。従って、ＯＰＵ１の組立工程における接着工程が迅速化される。また、これに伴って、ＯＰＵ１の価格低減化が図られる。
【００９８】
電子線硬化型接着剤の一種とされる紫外線硬化型接着剤として、例えば、米国ＥＭＩ社製：商品名「ＯＰＴＯＣＡＳＴ」シリーズのもの等が挙げられる。具体的な紫外線硬化型接着剤としては、米国ＥＭＩ社製：ＯＰＴＯＣＡＳＴ３４００，ＯＰＴＯＣＡＳＴ３４１５等が挙げられる。ＯＰＴＯＣＡＳＴ３４００，ＯＰＴＯＣＡＳＴ３４１５等の紫外線硬化型接着剤は、エポキシ系のものとされ、一液性の紫外線硬化型接着剤とされている。エポキシ系の紫外線硬化型接着剤は、低収縮性で高耐熱性のものとされ、耐薬品性、耐湿性に優れるものとされている。一液性の紫外線硬化型接着剤が用いられることにより、二液性の紫外線硬化型接着剤が使用されるときに行われる液と液との混合作業が不要となる。従って、接着剤の塗布工程は、迅速で効率的に行われる。
【００９９】
また、電子線硬化型接着剤の一種とされる紫外線硬化型接着剤として、例えば、米国ＮＯＲＬＡＮＤ社製：光学ＵＶ接着剤ＮＯＡ６０，ＮＯＡ８３Ｈ等が挙げられる。光学ＵＶ接着剤ＮＯＡ６０，ＮＯＡ８３Ｈ等の紫外線硬化型接着剤は、アクリル系のものとされ、一液性の紫外線硬化型接着剤とされている。アクリル系の紫外線硬化型接着剤は、硬化時間が短く数秒単位で硬化可能なものとされている。「ＵＶ」とは、「ultraviolet」を意味する。また、「ultraviolet radiation」は、「紫外線」を意味する。紫外線硬化型接着剤は、ＵＶ硬化型接着剤などと呼ばれている。光ピックアップ装置の設計仕様などにより、例えば二液性の紫外線硬化型接着剤が用いられて接着工程が行われたものも使用可能とされる。二液性の紫外線硬化型接着剤として、例えば二液性エポキシ系の紫外線硬化型接着剤などが挙げられる。
【０１００】
このＯＰＵ１は、第一波長レーザ光と、第一波長レーザ光と異なる波長光の第二波長レーザ光と、第一波長レーザ光および第二波長レーザ光と異なる波長光の第三波長レーザ光との三波長に対応したＯＰＵ１とされている。第一波長レーザ光は、例えば波長が約３９０〜４２０ｎｍ（ナノメータ）、基準とされる波長が略４０５ｎｍの「ＨＤ  ＤＶＤ」用および「Blu-ray Disc」用の青紫色レーザ光とされている。また、第二波長レーザ光は、例えば波長が約６３０〜６８５ｎｍ、基準とされる波長が略６３５ｎｍまたは６５０ｎｍのＤＶＤ用の赤色レーザ光とされている。また、第三波長レーザ光は、例えば波長が約７７０〜８３０ｎｍ、基準とされる波長が略７８０ｎｍのＣＤ用の赤外レーザ光とされている。
【０１０１】
第一ＯＢＬ３１は、例えば、第一波長レーザ光に対応した「Blu-ray Disc」専用のものとされている。第一ＯＢＬ３１の開口数は、略０．８５とされている。開口数とは、光学器械でＯＢＬの有効半径（入射ひとみの半径）を物点から見る角の正弦と、入射側の媒質の屈折率との積をいう。開口数は、ＯＢＬの性能を表すときに用いられる。開口数（Numerical Aperture）は、「ＮＡ」と省略されて用いられている。
【０１０２】
第二ＯＢＬ３２は、例えば、「ＨＤ  ＤＶＤ」用の第一波長レーザ光と、「ＤＶＤ」用の第二波長レーザ光と、「ＣＤ」用の第三波長レーザ光との三種類のレーザ光に対応したものとされている。第二ＯＢＬ３２の開口数は、略０．６とされている。第二ＯＢＬ３２を透過するレーザ光の光路に、開口制限付広帯域１／４波長板（図示せず）が設けられ、この開口制限付広帯域１／４波長板により、第二ＯＢＬ３２は、例えば開口数約０．３７〜０．９５、実質的に開口数略０．４５〜０．６５として機能する。
【０１０３】
図１の如く、第一ＯＢＬ３１が取り付けられる第一レンズ装着部１３ａが、レンズホルダ５の本体５ｂの上側部５ｃに凹設されている。また、第二ＯＢＬ３２が取り付けられる第二レンズ装着部１３ｂが、レンズホルダ５の本体５ｂの上側部５ｃに凹設されている。
【０１０４】
また、コイル４１が取り付けられるコイル装着部１１が、レンズホルダ５の本体５ｂの側面部５ｅから本体５ｂの外側に向けて凸設されている。また、コイル４２が取り付けられるコイル装着部１２が、レンズホルダ５の本体５ｂの側面部５ｅから本体５ｂの外側に向けて凸設されている。
【０１０５】
また、コイル４３が取り付けられるコイル装着部２３が、レンズホルダ５を構成する骨組部５ｆから骨組部５ｆの外側に向けて凸設されている。また、コイル４４が取り付けられるコイル装着部２４が、レンズホルダ５を構成する骨組部５ｆから骨組部５ｆの外側に向けて凸設されている。また、コイル４５が取り付けられるコイル装着部２５が、レンズホルダ５を構成する骨組部５ｆから骨組部５ｆの外側に向けて凸設されている。また、コイル４６が取り付けられるコイル装着部２６が、レンズホルダ５を構成する骨組部５ｆから骨組部５ｆの外側に向けて凸設されている。
【０１０６】
コイル４１に生じた熱が第一ＯＢＬ３１に伝えられることを防ぐ第一熱伝導遮断孔１４ａが、第一レンズ装着部１３ａと、コイル装着部１１との間に穿設されている。レンズホルダ５の本体５ｂと、コイル装着部１１との間には、熱逃し用の隙間１４ａが設けられている。熱の経路を遮断させるために、レンズホルダ５に熱伝導遮断孔１４ａが設けられている。
【０１０７】
これにより、コイル４１（図１，図２）に生じた熱が第一ＯＢＬ３１に伝えられるということは、防止され易くなる。レンズホルダ５の第一レンズ装着部１３ａと、レンズホルダ５のコイル装着部１１との間に、第一熱伝導遮断孔１４ａが穿設されることにより、コイル４１に生じた熱は、第一ＯＢＬ３１に伝えられ難くなる。コイル４１に電流が流されてコイル４１が通電状態とされたときにコイル４１に生じる熱は、コイル４１からレンズホルダ５のコイル装着部１１に伝えられる。レンズホルダ５の本体５ｂの側面部５ｅに凸設されたコイル装着部１１と、レンズホルダ５の本体５ｂの上側部５ｃに凹設された第一レンズ装着部１３ａとの間に、第一熱伝導遮断孔１４ａが穿設されているので、レンズホルダ５のコイル装着部１１から、レンズホルダ５の第一レンズ装着部１３ａに多くの熱が伝えられるということは回避される。従って、第一ＯＢＬ３１に対する熱の影響は抑えられる。
【０１０８】
また、コイル４２に生じた熱が第二ＯＢＬ３２に伝えられることを防ぐ第二熱伝導遮断孔１４ｂが、第二レンズ装着部１３ｂと、コイル装着部１２との間に穿設されている。レンズホルダ５の本体５ｂと、コイル装着部１２との間には、熱逃し用の隙間１４ｂが設けられている。熱の経路を遮断させるために、レンズホルダ５に熱伝導遮断孔１４ｂが設けられている。
【０１０９】
これにより、コイル４２に生じた熱が第二ＯＢＬ３２に伝えられるということは、防止され易くなる。レンズホルダ５の第二レンズ装着部１３ｂと、レンズホルダ５のコイル装着部１２との間に、第二熱伝導遮断孔１４ｂが穿設されることにより、コイル４２に生じた熱は、第二ＯＢＬ３２に伝えられ難くなる。コイル４２に電流が流されてコイル４２が通電状態とされたときにコイル４２に生じる熱は、コイル４２からレンズホルダ５のコイル装着部１２に伝えられる。レンズホルダ５の本体５ｂの側面部５ｅに凸設されたコイル装着部１２と、レンズホルダ５の本体５ｂの上側部５ｃに凹設された第二レンズ装着部１３ｂとの間に、第二熱伝導遮断孔１４ｂが穿設されているので、レンズホルダ５のコイル装着部１２から、レンズホルダ５の第二レンズ装着部１３ｂに多くの熱が伝えられるということは回避される。従って、第二ＯＢＬ３２に対する熱の影響は抑えられる。
【０１１０】
熱伝導性改善用補強部材５０（図１）は、熱伝導性および放熱性に優れる非鉄金属材料が用いられ、板金が打抜き成形されて形成されている。また、レンズホルダ５を構成する第一ピース１０および第二ピース２０は、レンズホルダ５を軽量化させると共に成形性に優れる合成樹脂材料が用いられて、大量生産性に優れる射出成形法に基づき形成されている。
【０１１１】
これにより、各ＯＢＬ３１，３２に不均等な温度勾配が生じるということは回避される。合成樹脂製の第一ピース１０および第二ピース２０が組み立てられて構成されたレンズホルダ５に、非鉄金属製の熱伝導性改善用補強部材５０が組付け装着されることにより、レンズホルダ５に装着された各コイル４１，４２，４３，４４，４５，４６から生じる熱の流れは整えられる。従って、各コイル４１，４２，４３，４４，４５，４６に生じた熱は、レンズホルダ５を介して略均等に各ＯＢＬ３１，３２に伝えられる。
【０１１２】
また、一般に非鉄金属は腐食され難いものとされているので、非鉄金属製の熱伝導性改善用補強部材５０は、温度が上昇するＯＰＵ１に長期に亘って腐食が進行することなく備えられる。非鉄金属として、例えば、アルミニウムやマグネシウムなどが挙げられる。また、非鉄金属合金として、例えば、アルミニウム合金やマグネシウム合金などが挙げられる。具体的に説明すると、アルミニウム合金などの非鉄金属材料として、例えば、マグネシウム（Ｍｇ）、マンガン（Ｍｎ）等の性能向上成分を約０．０１〜０．６％含有する非鉄金属材料が挙げられる。
【０１１３】
また、一般に金属材料成形体は、樹脂材料成形体よりも剛性が高いため、非鉄金属製の熱伝導性改善用補強部材５０が合成樹脂製のレンズホルダ５に組付け装着されることで構成されたレンズホルダ組立体６の剛性は向上する。レンズホルダ組立体６の剛性が向上するので、例えば、ＯＰＵ１のシーク時に、各ＯＢＬ３１，３２を備えるレンズホルダ組立体６が甚だしく振動するという高次共振の発生は回避される。従って、高次共振に対応し制御が行われ易いＯＰＵ１が構成される。
【０１１４】
熱伝導性改善用補強部材５０（図１）は、マグネット６１，６２，６３，６４，６５，６６（図４，図５）などの磁性体から常に生じる磁力や、コイル４１，４２，４３，４４，４５，４６（図１〜図４）に電流が流されて通電状態とされたときにコイル４１，４２，４３，４４，４５，４６に生じる電磁力に影響されない非磁性体として形成されている。
【０１１５】
金属製のコイル４１，４２，４３，４４，４５，４６と、金属製の熱伝導性改善用補強部材５０とが接触して、ショートが発生することを防止するために、レンズホルダ５に装着された金属製のコイル４１，４２，４３，４４，４５，４６と、レンズホルダ５に装着された金属製の熱伝導性改善用補強部材５０とは、非接触とされて離されている（図３）。レンズホルダ５は、金属製の熱伝導性改善用補強部材５０に対し、コイル４１，４２，４３，４４，４５，４６に流される電流を絶縁させるために、絶縁性に優れる合成樹脂材料が用いられて形成されている。
【０１１６】
各コイル４１，４２，４３，４４，４５，４６が装備されるレンズホルダ５は、絶縁性に優れる合成樹脂材料が用いられて形成される。レンズホルダ５は、金属材料よりも比重が小さく軽量化に適した合成樹脂材料が用いられて形成されている。詳しく説明すると、このレンズホルダ５は、液晶ポリマなどの成形性に優れる熱可塑性樹脂が用いられて、大量生産性に優れる射出成形法に基づいて形成されている。液晶ポリマとして、例えば、ポリプラスチックス社製：ベクトラ（登録商標）等が挙げられる。また、ベクトラ（登録商標）の商品として、例えば、グレードＡ４１０，Ｓ４７１等が挙げられる。
【０１１７】
熱伝導性改善用補強部材５０（図１）は、アルミニウム合金などのアルミニウム材料製の板金が用いられて、肉抜きされた略平板状に打抜き形成されている。熱伝導性改善用補強部材５０は、アルミニウム板として形成されている。
【０１１８】
アルミニウム材料が用いられて熱伝導性改善用補強部材５０が形成されていれば、各ＯＢＬ３１，３２（図１〜図３）に不均等な温度勾配が生じるということは回避される。アルミニウム材料成形体は、熱伝導性に優れたものとされている。例えば、アルミニウム材料成形体の熱伝導率は、鉄材料成形体の熱伝導率の約三倍とされている。例えば、鉄材料成形体の熱伝導率が約４７ｋｃａｌ／ｍ・ｈｒ・℃とされているのに対し、アルミニウム材料成形体の熱伝導率は、約１８０ｋｃａｌ／ｍ・ｈｒ・℃とされている。このように、アルミニウム材料成形体は、熱を伝え易いものとされている。従って、コイル４１，４２，４３，４４，４５，４６に電流が流されてコイル４１，４２，４３，４４，４５，４６が通電状態とされたときに、コイル４１，４２，４３，４４，４５，４６に生じる熱は、アルミニウム製の熱伝導性改善用補強部材５０に効率よく伝えられて発散される。
【０１１９】
各コイル４１，４２，４３，４４，４５，４６に同時に電流が流され、各コイル４１，４２，４３，４４，４５，４６が同時に発熱したときに、先ず、アルミニウム等の非鉄金属製の熱伝導性改善用補強部材５０が温められる。その後、レンズホルダ５の下側部５ｄから上側部５ｃにかけて熱が上がってゆき、各ＯＢＬ３１，３２に熱が略均一に伝えられる。
【０１２０】
また、アルミニウム材料成形体は、比剛性が高いものとされている。一般に、アルミニウム合金などのアルミニウム材料成形体は、合成樹脂材料成形体よりも剛性が高いため、アルミニウム製の熱伝導性改善用補強部材５０が合成樹脂製のレンズホルダ５に組付け装着されることで構成されたレンズホルダ組立体６の剛性は向上する。レンズホルダ組立体６の剛性が向上するので、例えば、ＯＰＵ１のシーク時に、ＯＢＬ３１，３２を備えるレンズホルダ組立体６が甚だしく振動するという高次共振の発生は回避される。従って、高次共振に対応し制御が行われ易いＯＰＵ１が構成される。
【０１２１】
また、アルミニウム材料成形体は、軽量化に適したものとされている。例えば、アルミニウムの比重は、鉄の比重の約三分の一とされている。例えば、鉄の比重は、約７．８７とされているのに対し、アルミニウムの比重は、約２．７１とされている。アルミニウム材料が用いられて、肉抜きされた略平板状の熱伝導性改善用補強部材５０が板金から打抜き形成されることにより、ＯＰＵ１の軽量化が図られる。熱伝導性改善用補強部材５０がレンズホルダ５に装着されていても、レンズホルダ５の動作応答性が低下するということは回避される。
【０１２２】
また、アルミニウム材料成形体は、非磁性体とされ、磁気をおびず、磁場に影響されないものとされている。このため、アルミニウム製の熱伝導性改善用補強部材５０が、コイル４１，４２，４３，４４，４５，４６や、マグネット６１，６２，６３，６４，６５，６６などに磁気の影響を及ぼすということは回避される。従って、レンズホルダ５を駆動可能な複数のコイル４１，４２，４３，４４，４５，４６や、複数のマグネット６１，６２，６３，６４，６５，６６に、磁気による悪影響が及ぶことのないＯＰＵ１が構成される。
【０１２３】
アルミニウムを主成分とする非鉄金属材料として、例えば、マグネシウム（Ｍｇ）及びマンガン（Ｍｎ）からなる群から選択される少なくとも一種以上の性能向上成分を約０．０５〜０．６％含有するアルミニウム合金が用いられることが好ましい。
【０１２４】
アルミニウムを主成分とする非鉄金属材料として、例えば、加工性がよく耐食性に優れるアルミニウム−マグネシウム（Ａｌ−Ｍｇ）系合金が挙げられる。詳しく説明すると、アルミニウムを主成分とする非鉄金属材料として、例えば、「ＪＩＳ  Ｈ４０００」に基づいて定められた５０００系材料などが挙げられる。具体的に説明すると、アルミニウム合金として、例えば、「ＪＩＳ  Ｈ４０００」に基づいて定められた５００５（Ａ５００５），５０５２（Ａ５０５２），５０５６（Ａ５０５６），５０８３（Ａ５０８３），５０８６（Ａ５０８６）等が挙げられる。
【０１２５】
また、アルミニウムを主成分とする非鉄金属材料として、例えば、加工性がよく耐食性に優れるアルミニウム−マンガン（Ａｌ−Ｍｎ）系合金が挙げられる。詳しく説明すると、アルミニウムを主成分とする非鉄金属材料として、例えば、「ＪＩＳ  Ｈ４０００」に基づいて定められた３０００系材料などが挙げられる。具体的に説明すると、アルミニウム合金として、例えば、「ＪＩＳ  Ｈ４０００」に基づいて定められた３００３（Ａ３００３），３００４（Ａ３００４），３００５（Ａ３００５）等が挙げられる。
【０１２６】
光ピックアップ装置１の設計／仕様などにより、アルミニウムを主成分とする熱伝導性改善用補強部材５０に代えて、例えば、アルミニウム以外の他の非鉄金属を主成分とする熱伝導性改善用補強部材５０が用いられてもよい。例えば、アルミニウムを主成分とする熱伝導性改善用補強部材５０に代えて、銅を主成分とする熱伝導性改善用補強部材５０が用いられた。
【０１２７】
銅を主成分とする熱伝導性改善用補強部材５０は、バランサとしての役目を果す。銅の比重は約８．９２とされ、銅は重い材料とされているので、二つのＯＢＬ３１，３２を備えたレンズホルダ５の下側部５ｄに、銅を主成分とする熱伝導性改善用補強部材５０が装備されることにより、レンズホルダ５の本体５ｂの上側部５ｃに二つのＯＢＬ３１，３２が装備されたレンズホルダ５のバランスがとられる。
【０１２８】
アルミニウム製の熱伝導性改善用補強部材５０に代えて用いられた熱伝導性改善用補強部材５０は、銅合金などの銅材料製の板金が用いられて、肉抜きされた略平板状に打抜き形成されている。熱伝導性改善用補強部材５０は、銅板として形成されている。
【０１２９】
銅材料が用いられて熱伝導性改善用補強部材５０が形成されていれば、各ＯＢＬ３１，３２に不均等な温度勾配が生じるということは回避される。銅材料成形体は、熱伝導性に優れたものとされている。例えば、純銅材料成形体の熱伝導率は、鉄材料成形体の熱伝導率の約六倍以上とされている。例えば、鉄材料成形体の熱伝導率が約０．１５０ｃａｌ／ｃｍ・／ｓｅｃ／℃とされているのに対し、純銅材料成形体の熱伝導率は、約０．９３８ｃａｌ／ｃｍ・／ｓｅｃ／℃とされている。また、例えば、銅材料成形体の熱伝導率は、アルミニウム材料成形体の熱伝導率の約１．５倍以上とされている。例えば、アルミニウム材料成形体の熱伝導率が約０．５３４ｃａｌ／ｃｍ・／ｓｅｃ／℃とされているのに対し、純銅材料成形体の熱伝導率は、約０．９３８ｃａｌ／ｃｍ・／ｓｅｃ／℃とされている。このように、銅材料成形体は、熱を伝え易いものとされている。従って、コイル４１，４２，４３，４４，４５，４６に電流が流されてコイル４１，４２，４３，４４，４５，４６が通電状態とされたときに、コイル４１，４２，４３，４４，４５，４６に生じる熱は、銅製の熱伝導性改善用補強部材５０に効率よく伝えられて発散される。
【０１３０】
各コイル４１，４２，４３，４４，４５，４６に同時に電流が流され、各コイル４１，４２，４３，４４，４５，４６が同時に発熱したときに、先ず、銅などの非鉄金属製の熱伝導性改善用補強部材５０が温められる。その後、レンズホルダ５の下側部５ｄから上側部５ｃにかけて熱が上がってゆき、各ＯＢＬ３１，３２に熱が略均一に伝えられる。
【０１３１】
また、光ピックアップ装置１に用いられるために各種銅材料の中から選択された銅材料成形体は、非磁性体とされ、磁気をおびず、磁場に影響されないものとされている。このため、銅製の熱伝導性改善用補強部材５０が、コイル４１，４２，４３，４４，４５，４６や、マグネット６１，６２，６３，６４，６５，６６などに磁気の影響を及ぼすということは回避される。従って、レンズホルダ５を駆動可能な複数のコイル４１，４２，４３，４４，４５，４６や、複数のマグネット６１，６２，６３，６４，６５，６６に、磁気による悪影響が及ぶことのないＯＰＵ１が構成される。
【０１３２】
銅を主成分とする非鉄金属材料として、例えば、加工性や耐食性等のよいタフピッチ銅が挙げられる。タフピッチ銅として、例えば、「ＪＩＳ  Ｈ３１００」に基づいて定められたＣ１１００等が挙げられる。また、銅を主成分とする非鉄金属材料として、例えば、加工性や耐食性等のよい無酸素銅が挙げられる。無酸素銅として、例えば、「ＪＩＳ  Ｈ３１００」に基づいて定められたＣ１０２０等が挙げられる。また、銅を主成分とする非鉄金属材料として、例えば、加工性や耐食性等のよいりん脱酸銅が挙げられる。りん脱酸銅として、例えば、「ＪＩＳ  Ｈ３１００」に基づいて定められたＣ１２０１等が挙げられる。
【０１３３】
レンズホルダ５の一対の射出ゲート跡部（図示せず）が熱伝導性改善用補強部材５０に干渉することを回避させる一対の貫通孔形状のゲート跡回避部５２，５２が、熱伝導性改善用補強部材５０に設けられている。熱伝導性改善用補強部材５０に設けられた一対の貫通孔状ゲート跡回避部５２，５２は、熱伝導性改善用補強部材５０を軽量化させる肉抜き部を兼ねたものとされている。
【０１３４】
図３の如く、アルミニウム合金製の熱伝導性改善用補強部材５０は、合成樹脂製のレンズホルダ５を構成する各壁５ｇ，５ｈに当接された状態で、レンズホルダ５に装着されている。
【０１３５】
これにより、レンズホルダ５に装着された各コイル４１，４２，４３，４４，４５，４６から生じる熱は、レンズホルダ５の各壁５ｇ，５ｈを経由して熱伝導性改善用補強部材５０に伝えられる。詳しく説明すると、レンズホルダ５に装着された各コイル４１，４２から生じる熱は、レンズホルダ５の壁５ｇを経由して熱伝導性改善用補強部材５０に確実に伝えられる。また、レンズホルダ５に装着された各コイル４３，４４，４５，４６から生じる熱は、レンズホルダ５の壁５ｈを経由して熱伝導性改善用補強部材５０に確実に伝えられる。
【０１３６】
レンズホルダ５を構成する各壁５ｇ，５ｈに熱伝導性改善用補強部材５０が当接されることにより、レンズホルダ５に熱が蓄積されるということは回避される。各コイル４１，４２から生じた熱は、レンズホルダ５の壁５ｇに当接された熱伝導性改善用補強部材５０に伝えられて、熱伝導性改善用補強部材５０から効率よく発散される。また、各コイル４３，４４，４５，４６から生じた熱は、レンズホルダ５の壁５ｈに当接された熱伝導性改善用補強部材５０に伝えられて、熱伝導性改善用補強部材５０から効率よく発散される。
【０１３７】
接着剤（図示せず）が用いられて、レンズホルダ５の下側部５ｄに熱伝導性改善用補強部材５０が取り付けられる。接着剤として、熱硬化性樹脂を含有する接着剤が用いられた。詳しく説明すると、レンズホルダ５に熱伝導性改善用補強部材５０を固着させる接着剤として、熱硬化性樹脂であるエポキシ系樹脂が用いられた。具体的に説明すると、接着剤として、例えば、紫外線が照射されることで硬化する上記エポキシ系の紫外線硬化型接着剤が用いられた。ＯＰＵ１の設計／仕様などにより、例えば、紫外線硬化型接着剤以外の通常のエポキシ系接着剤が用いられてもよい。
【０１３８】
レンズホルダ５（図３）に対し位置合せを行わせ易くさせる一対の位置決め用孔部５８，５８（図１）が、熱伝導性改善用補強部材５０に設けられている。熱伝導性改善用補強部材５０に設けられた一対の位置決め用孔部５８，５８は、熱伝導性改善用補強部材５０を軽量化させる肉抜き部を兼ねたものとされている。熱伝導性改善用補強部材５０に設けられた一対の位置決め用孔部５８，５８に対応して、レンズホルダ５（図３）に、一対の位置合せ部用突出部２８，２８が設けられている。
【０１３９】
熱伝導性改善用補強部材５０の一対の位置決め用孔部５８，５８が、レンズホルダ５の一対の位置合せ部用突出部２８，２８に合わせられることで、レンズホルダ５に熱伝導性改善用補強部材５０が精度良く装着される。
【０１４０】
また、レンズホルダ５（図３）に対し位置合せを行わせ易くさせると共に、レンズホルダ５に対する熱伝導性改善用補強部材５０の取付方向を規定する一対の位置決め用突出端縁部５９，５９（図１）が、熱伝導性改善用補強部材５０に設けられている。熱伝導性改善用補強部材５０に設けられた一対の位置決め用突出端縁部５９，５９に対応して、レンズホルダ５（図３）に、一対の位置合せ用膨出内壁部２９，２９が設けられている。
【０１４１】
熱伝導性改善用補強部材５０の一対の位置決め用突出端縁部５９，５９が、レンズホルダ５の一対の位置合せ用膨出内壁部２９，２９に合わせられることで、熱伝導性改善用補強部材５０が精度良く正しい向きでレンズホルダ５に装着される。
【０１４２】
レンズホルダ５の熱は、レンズホルダ５に精度良く装着された熱伝導性改善用補強部材５０を介して、レンズホルダ組立体６の外部に逃がされる。従って、レンズホルダ組立体６全体の熱伝導率が向上する。
【０１４３】
図１の如く、レンズホルダ５は、複数のＯＢＬ３１，３２が装着される第一ピース１０と、一つの熱伝導性改善用補強部材５０が装着される第二ピース２０とを備えて構成されている。
【０１４４】
これにより、各ＯＢＬ３１，３２に伝えられる熱量は抑えられる。レンズホルダ５が、複数のＯＢＬ３１，３２が装着される第一ピース１０と、一つの熱伝導性改善用補強部材５０が装着される第二ピース２０との二部材に分けられることにより、例えば、第二ピース２０から第一ピース１０に向けた熱の伝わりは間接的となる。第二ピース２０から第一ピース１０に向けた熱の伝わりが間接的となるので、各ＯＢＬ３１，３２が装着された第一ピース１０に伝えられる熱は抑えられる。第一ピース１０に伝えられる熱が抑えられるので、第一ピース１０に装着された各ＯＢＬ３１，３２への熱の伝わりは抑えられる。
【０１４５】
また、複雑な形状のレンズホルダ５とされていても、レンズホルダ５が、第一ピース１０と、第一ピース１０に組み付けられる第二ピース２０との二部材に分けられることにより、レンズホルダ５は、射出成形法に基づいて容易に製造される。
【０１４６】
図１〜図３においては、レンズホルダ５は、第一ピース１０と、第二ピース２０との二つのものを備えた二構造のものとして構成されているが、ＯＰＵ１の設計／仕様などにより、例えば、２ピース構造とされることなく単一部材のレンズホルダ（５）とされたものも使用可能とされる。
【０１４７】
図１の如く、レンズホルダ５は、第一ＯＢＬ３１および第二ＯＢＬ３２が装着される第一ピース１０と、単品の熱伝導性改善用補強部材５０が装着される第二ピース２０とを備えて構成されている。第一ピース１０を形成する材料の熱伝導率と、第二ピース２０を形成する材料の熱伝導率とは、異なる熱伝導率とされている。
【０１４８】
これにより、第一ＯＢＬ３１および第二ＯＢＬ３２に伝えられる熱量は抑えられる。第一ピース１０を形成する材料の熱伝導率と、第二ピース２０を形成する材料の熱伝導率とが異なる熱伝導率とされていれば、第一ＯＢＬ３１および第二ＯＢＬ３２が装着された第一ピース１０に伝えられる熱伝導量は抑えられる。例えば、第一ピース１０の材料と、第二ピース２０の材料との選定などにより、各ＯＢＬ３１，３２が装着された第一ピース１０に伝えられる熱伝導量は抑えられる。
【０１４９】
レンズホルダ５（図１）は、二つのＯＢＬ３１，３２が装着される第一ピース１０と、一つの熱伝導性改善用補強部材５０が装着される第二ピース２０とを備えて構成されている。
【０１５０】
また、コイル４１，４２，４３，４４，４５，４６として、第一ピース１０に装着される一対の第一方向駆動用コイル４１，４２と、第二ピース２０に装着される二対の第二方向駆動用コイル４３，４４，４５，４６とが用いられた。
【０１５１】
レンズ組立体７を第一方向Ｄ１に沿って駆動させる第一方向駆動用コイル４１，４２は、光ディスクに対してレンズ組立体７をトラッキング方向に沿って駆動させるトラッキングコイル４１，４２とされている。「トラッキング」とは、光を用いて、光ディスクに設けられた微小なピット（穴、凹み）や、グルーブ（溝）、ウォブル（蛇行）などを追跡観測し、螺旋状に描かれた軌道の位置を定めることを意味する（何れも図示せず）。光ディスクに対し、各ＯＢＬ３１，３２を備えるレンズ組立体７のトラッキングサーボが行われるときに、各ＯＢＬ３１，３２を備えるレンズ組立体７は、前後方向Ｄ１に沿って動かされる。
【０１５２】
また、レンズ組立体７を第二方向Ｄ２に沿って駆動させる第二方向駆動用コイル４３，４４，４５，４６は、光ディスクに対してレンズ組立体７をフォーカス方向に沿って駆動させたり、レンズ組立体７のチルト調整を行わせたりさせるフォーカス・チルトコイル４３，４４，４５，４６とされている。「フォーカス」とは、焦点やピントを意味する。また、「チルト」とは、光ディスクの信号面と、発光素子から出射されＯＢＬを透過したレーザ光の光軸との角度ずれを意味する。光ディスクに対し、各ＯＢＬ３１，３２を備えるレンズ組立体７のフォーカスサーボが行われるときに、各ＯＢＬ３１，３２を備えるレンズ組立体７は、上下方向Ｄ２に沿って動かされる。
【０１５３】
コイル４１が巻回されるコイル装着部１１が、第一ピース１０の側面部５ｅに突出形成されている。また、コイル４２が巻回されるコイル装着部１２が、第一ピース１０の側面部５ｅに突出形成されている。第一方向駆動用コイル４１，４２が巻回される第一コイル装着部１１，１２が、第一ピース１０の側面部５ｅに一対ほど設けられている。
【０１５４】
また、コイル４３が巻回されるコイル装着部２３が、第二ピース２０の骨組部５ｆに突出形成されている。また、コイル４４が巻回されるコイル装着部２４が、第二ピース２０の骨組部５ｆに突出形成されている。また、コイル４５が巻回されるコイル装着部２５が、第二ピース２０の骨組部５ｆに突出形成されている。また、コイル４６が巻回されるコイル装着部２６が、第二ピース２０の骨組部５ｆに突出形成されている。第二方向駆動用コイル４３，４４，４５，４６が巻回される第二コイル装着部２３，２４，２５，２６が、第二ピース２０の骨組部５ｆに二対ほど設けられている。
【０１５５】
これにより、熱対策が行われると共に、価格を抑えたＯＰＵ１が構成される。例えば、レンズホルダ（５）を構成する第一ピースから第二ピースに亘って各コイル（４１，４２，４３，４４，４５，４６）を巻回させる構造のレンズホルダが用いられた場合、各コイル（４１，４２，４３，４４，４５，４６）を第一ピースから第二ピースに亘って効率よく正確に巻回させる作業は、難しい作業とされていた。コイル巻回作業が難しい作業とされた場合、コイル巻回作業に多くの時間が費やされることとなり、これに伴って、ＯＰＵ（１）の価格が上がることが懸念される。
【０１５６】
しかしながら、第一ピース１０の第一コイル装着部１１，１２に第一方向駆動用コイル４１，４２が巻回され、第二ピース２０の第二コイル装着部２３，２４，２５，２６に第二方向駆動用コイル４３，４４，４５，４６が巻回されることにより、コイル巻回作業は、効率よく正確に行われる。コイル巻回作業は、レンズホルダ５の第一ピース１０の第一コイル装着部１１，１２に第一方向駆動用コイル４１，４２が巻回される作業と、レンズホルダ５の第二ピース２０の第二コイル装着部２３，２４，２５，２６に第二方向駆動用コイル４３，４４，４５，４６が巻回される作業との個別巻回作業とされるので、コイル巻回作業は、無理なく効率的に行われる。従って、ＯＰＵ１の製造コストが低く抑えられる。
【０１５７】
レンズホルダ５の各コイル装着部１１，１２，２３，２４，２５，２６に、導線などの電線が直に巻かれることで、各コイル４１，４２，４３，４４，４５，４６が構成される。導線などの電線が巻回されることにより構成された各コイル４１，４２，４３，４４，４５，４６は、二層巻タイプのコイル４１，４２，４３，４４，４５，４６として構成されている。
【０１５８】
ＯＰＵ１が組み立てられるときに、ＯＰＵ１の上側に、例えば各種部品を保護する被覆板１００が備えられる。被覆板１００は、例えば放熱性に優れる薄肉金属板が用いられてプレス成形されている。薄肉板金製の被覆板１００に代えて、例えば合成樹脂製の黒色被覆板１００がＯＰＵ１の上側に備えられてもよい。
【０１５９】
上記ＯＰＵ１は、光ディスク装置に内装される。光ディスク装置は、上記ＯＰＵ１を備えるものとされている。
【０１６０】
これにより、ＯＢＬ３１またはＯＢＬ３２により集光され光ディスクに照射されたレーザ光のスポットに収差が生じ、その結果、光ディスク装置が正常に機能しないという不具合の発生は、回避される。
【０１６１】
本発明のＯＰＵは、図示されたものに限定されるものではない。
【０１６２】
例えば、略平板状をしたアルミニウム製の熱伝導性改善用補強部材（５０）が、ＯＢＬ（３１，３２）の直下に取り付けられてもよい。また、略平板状をしたアルミニウム製の熱伝導性改善用補強部材（５０）が、レンズホルダ（５）を構成する第一ピース（１０）と、第二ピース（２０）との間に設けられてもよい。また、略平板状をしたアルミニウム製の熱伝導性改善用補強部材（５０）が、ＯＢＬ（３１，３２）を囲む形状に形成されてもよい。
【０１６３】
レンズホルダ５に対しアルミニウム製の熱伝導性改善用補強部材５０の取付位置を最適化させることや、アルミニウム製の熱伝導性改善用補強部材５０の形状を最適化させることで、ＯＰＵ１の可動部３の重心位置調整や、ＯＰＵ１の高次共振特性の改善などが行われる。
【０１６４】
また、図４に示すＯＰＵ１においては、レンズホルダ５は、第一ＯＢＬ３１と、第二ＯＢＬ３２との二つのＯＢＬ３１，３２を備えたものとされているが、例えば、ＯＰＵ（１）の設計／仕様などにより、二つのＯＢＬ（３１，３２）が装備されることなく、ＯＢＬとして一つのＯＢＬのみが装備されたレンズホルダを有するＯＰＵも使用可能とされる（図示せず）。
【０１６５】
また、レーザ光を出射する発光素子として、例えば、異なる二種類の波長のレーザ光を出射可能な二波長発光素子（図示せず）や、異なる三種類の波長のレーザ光を出射可能な三波長発光素子（図示せず）が用いられてもよい。
【０１６６】
本発明のものは、その要旨を逸脱しない範囲において、種々変更可能とされる。
【符号の説明】
【０１６７】
１                ＯＰＵ（光ピックアップ装置）
２                アクチュエータ（駆動部）
３                可動部
５                レンズホルダ
５ａ              下側開口部（開口部）
５ｂ              本体
５ｃ              上側部
５ｄ              下側部
５ｅ              側面部
５ｆ              骨組部
５ｇ，５ｈ        壁
５ｖ              ワイヤ装着部
５ｗ              ワイヤ取付孔
６                レンズホルダ組立体
７                レンズ組立体
１０              第一ピース
１１，１２        第一コイル装着部（コイル装着部）
１３ａ            第一レンズ装着部（レンズ装着部）
１３ｂ            第二レンズ装着部（レンズ装着部）
１３ｃ，１３ｄ    周縁部
１４ａ，１４ｂ    隙間（熱伝導遮断孔）
１７，２７        部材装着部
２０              第二ピース
２３，２４，２５，２６    第二コイル装着部（コイル装着部）
２８              位置合せ用突出部（位置合せ部）
２９              位置合せ用膨出内壁部（位置合せ部）
３１，３２        ＯＢＬ（対物レンズ）
３１ｃ，３２ｃ    中心部
３１ｅ，３２ｅ    レンズ周縁部（周縁部）
４１，４２        第一方向駆動用コイル（コイル）
４３，４４，４５，４６    第二方向駆動用コイル（コイル）
５０              補強部材（熱伝導性改善部材）
５１ａ，５１ｂ    レーザ光通過孔部
５２              ゲート跡回避部
５８              位置決め用孔部（位置決め部）
５９              位置決め用突出端縁部（位置決め部）
６１，６２，６３，６４，６５，６６      マグネット（磁石）
７０              サスペンションワイヤ（サスペンション部）
８１              第一ヨーク（ヨーク）
８２              第二ヨーク（ヨーク）
９０              回路基板（基板）
９１              基板本体（本体）
１００            被覆板
Ｄ１              前後方向（第一方向）
Ｄ２              上下方向（第二方向）
Ｄ３              左右方向（第三方向）
【図１】
2011048904.tif 000003
【図２】
2011048904.tif 000004
【図３】
2011048904.tif 000005
【図４】
2011048904.tif 000006
【図５】
2011048904.tif 000007
【手続補正書】
【提出日】平成22年12月28日(2010.12.28)
【手続補正１】
【補正対象書類名】明細書
【補正対象項目名】０００９
【補正方法】削除
【補正の内容】
【手続補正２】
【補正対象書類名】明細書
【補正対象項目名】００１０
【補正方法】変更
【補正の内容】
【００１０】
本発明の請求項１に係る光ピックアップ装置は、光ディスクに対しレーザ光を集光させる対物レンズと、該対物レンズを保持するレンズホルダと、該レンズホルダに装着され該レンズホルダを駆動可能なコイルと、該レンズホルダに装着され該レンズホルダの強度を補う補強部材とを備えることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項２に係る光ピックアップ装置は、請求項１に記載の光ピックアップ装置において、前記補強部材は、非磁性体が用いられて形成されたことを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項３に係る光ピックアップ装置は、請求項１又は２に記載の光ピックアップ装置において、前記レンズホルダは、開口部を有する略箱状に形成され、前記補強部材は、該開口部に対応した略板状に形成され、該開口部に該補強部材が装着されてレンズホルダ組立体が構成されたことを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
請求項４に係る光ピックアップ装置は、請求項１〜３の何れか１項に記載の光ピックアップ装置において、前記レンズホルダは、前記対物レンズが取り付けられるレンズ装着部と、前記補強部材が取り付けられる部材装着部とを備え、該レンズ装着部の略反対側に該部材装着部が形成されたことを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
請求項５に係る光ピックアップ装置は、請求項１〜４の何れか１項に記載の光ピックアップ装置において、前記対物レンズとして、第一波長レーザ光に対応した第一対物レンズと、該第一波長レーザ光と異なる波長光の第二波長レーザ光に対応した第二対物レンズとが用いられ、前記レンズホルダは、該第一対物レンズおよび該第二対物レンズが取り付けられるレンズ装着部と、前記補強部材が取り付けられる部材装着部とを備え、該レンズ装着部の略反対側に該部材装着部が形成され、該レンズ装着部に該第一対物レンズおよび該第二対物レンズが取り付けられ、該部材装着部に該補強部材が取り付けられることで、レンズ組立体が構成されたことを特徴とする。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
請求項６に係る光ピックアップ装置は、請求項１〜５の何れか１項に記載の光ピックアップ装置において、前記補強部材を軽量化させる肉抜き部が該補強部材に設けられたことを特徴とする。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
請求項７に係る光ピックアップ装置は、請求項１〜６の何れか１項に記載の光ピックアップ装置において、前記レーザ光が通過可能なレーザ光通過孔部が前記補強部材に設けられたことを特徴とする。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】変更
【補正の内容】
【００２４】
請求項８に係る光ピックアップ装置は、請求項１〜７の何れか１項に記載の光ピックアップ装置において、前記補強部材に位置決め用突出端縁部が設けられ、該位置決め用突出端縁部に対応して、前記レンズホルダに位置合せ用膨出内壁部が設けられたことを特徴とする。
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】変更
【補正の内容】
【００２６】
請求項９に係る光ピックアップ装置は、請求項１〜８の何れか１項に記載の光ピックアップ装置において、前記補強部材は、前記レンズホルダを構成する壁に当接されたことを特徴とする。
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】変更
【補正の内容】
【００２８】
請求項１０に係る光ピックアップ装置は、請求項１〜９の何れか１項に記載の光ピックアップ装置において、前記レンズホルダは、前記対物レンズが装着される第一ピースと、前記補強部材が装着される第二ピースとを備えて構成されたことを特徴とする。
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】変更
【補正の内容】
【００３０】
請求項１１に係る光ピックアップ装置は、請求項１〜１０の何れか１項に記載の光ピックアップ装置において、前記レンズホルダは、前記対物レンズが装着される第一ピースと、前記補強部材が装着される第二ピースとを備えて構成され、該第一ピースを形成する材料の熱伝導率と、該第二ピースを形成する材料の熱伝導率とが異なることを特徴とする。
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】変更
【補正の内容】
【００３２】
請求項１２に係る光ピックアップ装置は、請求項１〜１１の何れか１項に記載の光ピックアップ装置において、前記レンズホルダは、前記対物レンズが装着される第一ピースと、前記補強部材が装着される第二ピースとを備えて構成され、前記コイルとして、該第一ピースに装着される第一方向駆動用コイルと、該第二ピースに装着される第二方向駆動用コイルとが用いられ、該第一方向駆動用コイルが巻回される第一コイル装着部が、該第一ピースに設けられ、該第二方向駆動用コイルが巻回される第二コイル装着部が、該第二ピースに設けられたことを特徴とする。
【手続補正２５】
【補正対象書類名】明細書
【補正対象項目名】００３３
【補正方法】変更
【補正の内容】
【００３３】
請求項１３に係る光ピックアップ装置は、請求項１〜１２の何れか１項に記載の光ピックアップ装置において、接着剤が用いられて前記レンズホルダに前記補強部材が取り付けられたことを特徴とする。
請求項１４に係る光ピックアップ装置は、請求項１３に記載の光ピックアップ装置において、前記接着剤として一液性の接着剤が用いられたことを特徴とする。
請求項１５に係る光ピックアップ装置は、請求項１３又は１４に記載の光ピックアップ装置において、前記接着剤として電子線硬化型接着剤が用いられたことを特徴とする。
請求項１６に係る光ピックアップ装置は、請求項１３〜１５の何れか１項に記載の光ピックアップ装置において、前記接着剤として熱硬化性樹脂を含有する接着剤が用いられたことを特徴とする。
請求項１７に係る光ピックアップ装置は、請求項１３〜１６の何れか１項に記載の光ピックアップ装置において、前記接着剤としてエポキシ系樹脂が用いられたことを特徴とする。
請求項１８に係る光ピックアップ装置は、請求項１３〜１６の何れか１項に記載の光ピックアップ装置において、前記接着剤としてアクリル系樹脂が用いられたことを特徴とする。
【手続補正２６】
【補正対象書類名】明細書
【補正対象項目名】００３４
【補正方法】変更
【補正の内容】
【００３４】
請求項１９に係る光ディスク装置は、請求項１〜１８の何れか１項に記載の光ピックアップ装置を備えることを特徴とする。
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】変更
【補正の内容】
【００３７】
本発明によれば、対物レンズを備えるレンズホルダが甚だしく振動し、レンズホルダが変形するという不具合の発生を回避することができる。レンズホルダの強度を補う補強部材とされたことにより、レンズホルダに生じる振動は抑えられる。従って、振動に対応した光ピックアップ装置を構成することができる。
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】変更
【補正の内容】
【００４８】
また、本発明によれば、光ディスク装置が正常に機能しないという不具合の発生を回避することができる。
【手続補正４１】
【補正対象書類名】特許請求の範囲
【補正対象項目名】全文
【補正方法】変更
【補正の内容】
【特許請求の範囲】
【請求項１】
光ディスクに対しレーザ光を集光させる対物レンズと、
該対物レンズを保持するレンズホルダと、
該レンズホルダに装着され該レンズホルダを駆動可能なコイルと、
該レンズホルダに装着され該レンズホルダの強度を補う補強部材と
を備えることを特徴とする光ピックアップ装置。
【請求項２】
前記補強部材は、非磁性体が用いられて形成されたことを特徴とする請求項１に記載の光ピックアップ装置。
【請求項３】
前記レンズホルダは、開口部を有する略箱状に形成され、
前記補強部材は、該開口部に対応した略板状に形成され、
該開口部に該補強部材が装着されてレンズホルダ組立体が構成されたことを特徴とする請求項１又は２に記載の光ピックアップ装置。
【請求項４】
前記レンズホルダは、
前記対物レンズが取り付けられるレンズ装着部と、
前記補強部材が取り付けられる部材装着部と
を備え、
該レンズ装着部の略反対側に該部材装着部が形成されたことを特徴とする請求項１〜３の何れか１項に記載の光ピックアップ装置。
【請求項５】
前記対物レンズとして、
第一波長レーザ光に対応した第一対物レンズと、
該第一波長レーザ光と異なる波長光の第二波長レーザ光に対応した第二対物レンズと
が用いられ、
前記レンズホルダは、
該第一対物レンズおよび該第二対物レンズが取り付けられるレンズ装着部と、
前記補強部材が取り付けられる部材装着部と
を備え、
該レンズ装着部の略反対側に該部材装着部が形成され、
該レンズ装着部に該第一対物レンズおよび該第二対物レンズが取り付けられ、該部材装着部に該補強部材が取り付けられることで、レンズ組立体が構成されたことを特徴とする請求項１〜４の何れか１項に記載の光ピックアップ装置。
【請求項６】
前記補強部材を軽量化させる肉抜き部が該補強部材に設けられたことを特徴とする請求項１〜５の何れか１項に記載の光ピックアップ装置。
【請求項７】
前記レーザ光が通過可能なレーザ光通過孔部が前記補強部材に設けられたことを特徴とする請求項１〜６の何れか１項に記載の光ピックアップ装置。
【請求項８】
前記補強部材に位置決め用突出端縁部が設けられ、該位置決め用突出端縁部に対応して、前記レンズホルダに位置合せ用膨出内壁部が設けられたことを特徴とする請求項１〜７の何れか１項に記載の光ピックアップ装置。
【請求項９】
前記補強部材は、前記レンズホルダを構成する壁に当接されたことを特徴とする請求項１〜８の何れか１項に記載の光ピックアップ装置。
【請求項１０】
前記レンズホルダは、
前記対物レンズが装着される第一ピースと、
前記補強部材が装着される第二ピースと
を備えて構成されたことを特徴とする請求項１〜９の何れか１項に記載の光ピックアップ装置。
【請求項１１】
前記レンズホルダは、
前記対物レンズが装着される第一ピースと、
前記補強部材が装着される第二ピースと
を備えて構成され、
該第一ピースを形成する材料の熱伝導率と、該第二ピースを形成する材料の熱伝導率とが異なることを特徴とする請求項１〜１０の何れか１項に記載の光ピックアップ装置。
【請求項１２】
前記レンズホルダは、
前記対物レンズが装着される第一ピースと、
前記補強部材が装着される第二ピースと
を備えて構成され、
前記コイルとして、
該第一ピースに装着される第一方向駆動用コイルと、
該第二ピースに装着される第二方向駆動用コイルと
が用いられ、
該第一方向駆動用コイルが巻回される第一コイル装着部が、該第一ピースに設けられ、
該第二方向駆動用コイルが巻回される第二コイル装着部が、該第二ピースに設けられたことを特徴とする請求項１〜１１の何れか１項に記載の光ピックアップ装置。
【請求項１３】
接着剤が用いられて前記レンズホルダに前記補強部材が取り付けられたことを特徴とする請求項１〜１２の何れか１項に記載の光ピックアップ装置。
【請求項１４】
前記接着剤として一液性の接着剤が用いられたことを特徴とする請求項１３に記載の光ピックアップ装置。
【請求項１５】
前記接着剤として電子線硬化型接着剤が用いられたことを特徴とする請求項１３又は１４に記載の光ピックアップ装置。
【請求項１６】
前記接着剤として熱硬化性樹脂を含有する接着剤が用いられたことを特徴とする請求項１３〜１５の何れか１項に記載の光ピックアップ装置。
【請求項１７】
前記接着剤としてエポキシ系樹脂が用いられたことを特徴とする請求項１３〜１６の何れか１項に記載の光ピックアップ装置。
【請求項１８】
前記接着剤としてアクリル系樹脂が用いられたことを特徴とする請求項１３〜１６の何れか１項に記載の光ピックアップ装置。
【請求項１９】
請求項１〜１８の何れか１項に記載の光ピックアップ装置を備えることを特徴とする光ディスク装置。